(57)【要約】  大電力狭帯域信号などの信号を周期ベースで送信し、周波数帯域および／またはキャリア信号の検出を容易にして、基地局との通信に利用する方法について説明する。上記検出対象周波数帯域はダウンリンク周波数帯域であってもよい。利用対象アップリンク周波数帯域は、上記検出済みのダウンリンクキャリアと、対応するアップリンクキャリアとの間の公知の周波数関係から決定したり、利用対象アップリンク周波数帯域／キャリアを示す情報を得るために上記検出したダウンリンク周波数帯域のモニタを行うことにより決定したりすることが可能である。キャリア情報の提供および／またはモニタ対象周波数帯域の提示を行うために利用される、上記狭帯域大電力信号のサーチを含むキャリアサーチ方法について説明する。上記大電力信号の検出が電力検出方法を利用して可能となり、シンボルタイミングの同期を行う必要および／または利用対象周波数帯域の配置に利用する信号の検出に関してチャネル推定を行う必要がなくなる。
2007511933.tif 000002
【特許請求の範囲】
【請求項１】
通信システムにおいて複数の基地局を作動させる方法であって、前記複数の基地局が、異なる地理上の領域に位置する少なくとも第１の基地局と第２の基地局とを含み、前記第１の基地局は第１の周波数帯域を利用し、前記第２の基地局は前記第１の周波数帯域とは異なる第２の周波数帯域を利用する方法において、
第１の時間枠中に複数のビーコン信号を送信するために前記第１の基地局に配置された第１の基地局送信機を作動させるステップであって、前記複数のビーコン信号が第１のタイプのビーコン信号と第２のタイプのビーコン信号とを含み、前記第１の時間枠がオーバーラップしない一定数の第２の時間枠間隔を含み、送信するため第１の基地局送信機を作動させる前記作動ステップが、
前記第２の時間枠の各時間枠において、前記第１の周波数帯域内の少なくとも１つのビーコン信号を送信するステップであって、異なるタイプのビーコン信号を前記第１の周波数帯域内の異なるトーンで送信し、前記第１のタイプのビーコン信号と前記第２のタイプのビーコン信号とを前記第１の時間枠中に少なくとも１回送信するステップと、
第３の時間枠中に第２の複数のビーコン信号を送信して、前記第２の基地局に位置する第２の基地局送信機を作動させるステップであって、前記複数のビーコン信号が前記第１のタイプのビーコン信号と前記第２のタイプのビーコン信号とを含み、前記第３の時間枠がオーバーラップしない一定数の第４の時間枠を含み、送信するため第２の基地局送信機を作動させるステップを含み、該作動ステップが、
前記第４の時間枠の各時間枠において、前記第２の周波数帯域内の少なくとも１つのビーコン信号を送信するステップであって、前記第２の周波数帯域内の異なるトーンで異なるタイプのビーコンを送信し、前記第１のタイプのビーコン信号と前記第２のタイプのビーコン信号とを前記第３の時間枠中に少なくとも１回送信するステップを含む前記基地局を作動させる方法。
【請求項２】
前記第１の基地局送信機と第２の基地局送信機とが、前記第１の時間枠と前記第３の時間枠中に複数のトーンで直交周波数分割多重化（ＯＦＤＭ）信号を同時に送信し、前記第１の時間枠と前記第３の時間枠とが複数の少なくとも１０，０００個のＯＦＤＭシンボル送信時間枠を含む請求項１に記載の方法。
【請求項３】
前記周波数帯域内の最小トーンに対して固定された周波数関係を有するトーンを用いて前記第１のタイプのビーコン信号を送信する方法であって、前記第１のタイプのビーコン信号が送信される前記周波数帯域がダウンリンク周波数帯域である請求項１に記載の方法。
【請求項４】
請求項３に記載の方法であって、
第１のタイプのビーコン信号の送信に用いる前記トーンが、アップリンク周波数帯域内のトーンであって、前記第１のタイプのビーコン信号を送信する基地局へ情報を通信するのに用いるトーンに対しても固定された周波数関係を有する方法。
【請求項５】
前記アップリンク周波数帯域と前記ダウンリンク周波数帯域との接合が外され（disjoint）、前記ダウンリンク周波数帯域内のトーン間の間隔よりも大きな間隔によって相互に分離される請求項４に記載の方法。
【請求項６】
請求項３に記載の方法であって、前記第１のタイプのビーコン信号がダウンリンク周波数帯域で送信され、第１の周波数帯域と第２の周波数帯域とがダウンリンク周波数帯域である方法において、
第１の基地局へ信号を送信する際の利用対象アップリンク周波数帯域の周波数位置を示す情報を前記第１の周波数帯域で周期的に送信して、前記第１の基地局送信機を作動させるステップと、
第２の基地局へ信号を送信する際の利用対象アップリンク周波数帯域の周波数位置を示す情報を前記第２の周波数帯域で周期的に送信して、前記第２の基地局送信機を作動させるステップと、をさらに有する方法。
【請求項７】
前記第１のタイプのビーコン信号の方が、該第１のタイプのビーコン信号が送信を行って中に入った周波数帯域において送信された他のすべてのタイプのビーコン信号よりも低いか、もしくは高い固定周波数を有する請求項３に記載の方法。
【請求項８】
前記第２の時間枠の各時間枠において前記第１の周波数帯域内の少なくとも１つのビーコン信号を送信するステップが、前記第１の時間枠中に多くても１回前記第１のタイプのビーコン信号を送信するステップと、前記第２のタイプのビーコン信号を前記第１の時間枠中に少なくとも２回送信するステップと、を含む請求項１に記載の方法。
【請求項９】
前記第４の時間枠の各時間枠において前記第２の周波数帯域内の少なくとも１つのビーコン信号を送信するステップが、前記第１のタイプのビーコン信号を前記第３の時間枠中に多くて１回送信するステップと、前記第２のタイプのビーコン信号を前記第３の時間枠中に少なくとも２回送信するステップとを含む請求項１に記載の方法。
【請求項１０】
前記第１の時間枠と前記第３の時間枠とが同じ長さを有する請求項９に記載の方法。
【請求項１１】
前記第２の時間枠と前記第４の時間枠とが同じ長さを有する請求項１０に記載の方法。
【請求項１２】
前記第１の時間枠と前記第３の時間枠とがウルトラスロットであり、前記第２の時間枠と前記第４の時間枠とがビーコンスロットであり、個々のビーコンスロットが複数のシンボル送信時間枠を含む請求項１１に記載の方法。
【請求項１３】
請求項１に記載の方法であって、
前記第２の時間枠の各時間枠において前記第１の周波数帯域内の少なくとも１つのビーコン信号を送信するステップが、前記第１の時間枠中に少なくとも１回第３のタイプのビーコン信号を送信するステップを含み、
前記第４の時間枠の各時間枠において前記第２の周波数帯域内の少なくとも１つのビーコン信号を送信するステップが、前記第３の時間枠中に少なくとも１回前記第３のタイプのビーコン信号を送信するステップを含む方法。
【請求項１４】
前記第１のタイプのビーコン信号が、前記基地局送信機がダウンリンク通信用として利用するキャリア周波数に関する情報の通信に用いるキャリアビーコン信号であって、前記キャリアビーコン信号は前記基地局送信機により送信される請求項１３に記載の方法。
【請求項１５】
前記第２のタイプのビーコン信号がセルタイプ識別子ビーコン信号であり、前記第２のタイプのビーコン信号が送信される送信元のセルを特定する情報を前記セルタイプ識別子ビーコン信号が通信し、さらに、前記第３のタイプのビーコン信号がセクタタイプ識別子ビーコン信号であり、前記第３のタイプのビーコン信号を送信した前記基地局送信機が送信を行って中に入った基地局セクタに関する情報を前記セクタタイプ識別子ビーコン信号が提供する請求項１４に記載の方法。
【請求項１６】
請求項１３に記載の方法であって、
複数のシーケンシャルな第１の時間枠中の第１の時間枠中に複数のビーコン信号を送信するために、前記第１の基地局送信機を作動させる前記ステップを繰り返すステップと、
複数のシーケンシャルな第３の時間枠中の第３の時間枠中に複数のビーコン信号を送信するために、前記第１の基地局送信機を作動させる前記ステップを繰り返すステップであって、前記第１の時間枠と前記第３の時間枠とが相互にオーバーラップするステップと、をさらに有する方法。
【請求項１７】
個々の第１の時間枠が前記第２の時間枠のうちの少なくとも１６個の時間枠を含む請求項１６に記載の方法。
【請求項１８】
前記第１の基地局送信機と前記第２の基地局送信機との相互の間でタイミングの同期が行われない請求項１７に記載の方法。
【請求項１９】
請求項１５に記載の方法であって、
前記第１のタイプのビーコン信号が固定トーンを利用し、
前記第２のビーコン信号のために用いられるトーンが前記第１の時間枠中にホップされ、
前記第３のタイプのビーコン信号のために用いられるトーンも前記第１の時間枠中にホップされる方法。
【請求項２０】
通信システムであって、
通信システム内の複数の基地局であって、前記複数の基地局が異なる地理上の領域に位置する少なくとも第１の基地局と第２の基地局とを含み、前記第１の基地局が第１の周波数帯域を利用し、前記第１の基地局が、
ｉ）第１の基地局送信機と、
ｉｉ）第１の時間枠中に複数のビーコン信号を送信する前記第１の基地局送信機を制御する第１の送信制御手段であって、前記複数のビーコン信号が第１のタイプのビーコン信号と第２のタイプのビーコン信号とを含み、異なるタイプのビーコン信号が前記第１の周波数帯域内の異なるトーンで送信され、前記第１の時間枠が、オーバーラップしない一定数の第２の時間枠間隔を含み、前記第１の送信制御手段が、前記第２の時間枠の各時間枠において前記第１の周波数帯域内の少なくとも１つのビーコン信号を前記第１の基地局送信機に送信させ、前記第１のタイプの少なくとも１つのビーコン信号と、前記第２のタイプの少なくとも１つのビーコン信号とが個々の第１の時間枠中に少なくとも１回送信される第１の送信制御手段と、を備え、
前記第２の基地局が第２の周波数帯域を利用し、前記第２の基地局が、
ｉ）第２の基地局送信機と、
ｉｉ）第３の時間枠中に複数のビーコン信号を送信する前記第２の基地局送信機を制御する第２の送信制御手段であって、前記複数のビーコン信号が前記第１のタイプのビーコン信号と前記第２のタイプのビーコン信号とを含み、異なるタイプのビーコン信号が前記第２の周波数帯域内の異なるトーンで送信され、前記第２の時間枠が、オーバーラップしない一定数の第２の時間枠間隔を含み、前記送信制御手段が前記第３の時間枠の各時間枠において前記第２の周波数帯域内の少なくとも１つのビーコン信号を前記第２の基地局送信機に送信させ、前記第１のタイプの少なくとも１つのビーコン信号と、前記第２のタイプの少なくとも１つのビーコン信号とが個々の第３の時間枠中に少なくとも１回送信される第２の送信制御手段と、を備える複数の基地局を有する通信システム。
【請求項２１】
前記第１の基地局送信機と前記第２の基地局送信機とが、前記第１の時間枠と前記第３の時間枠中に複数のトーンで直交周波数分割多重化（ＯＦＤＭ）信号を同時に送信する直交周波数分割多重化（ＯＦＤＭ）信号送信機であり、前記第１の時間枠と前記第３の時間枠とが複数の少なくとも１０，０００Ｏ個のＯＦＤＭシンボル送信時間枠を含む請求項２０に記載のシステム。
【請求項２２】
前記第１のタイプのビーコン信号が送信される前記周波数帯域において最小トーンに対して固定された周波数関係を有するトーンを用いて前記第１のタイプのビーコン信号が送信され、前記第１のタイプのビーコン信号が送信される前記周波数帯域がダウンリンク周波数帯域である請求項２０に記載のシステム。
【請求項２３】
請求項２２に記載のシステムであって、
第１のタイプのビーコン信号の送信に用いる前記トーンが、アップリンク周波数帯域内のトーンであって、前記第１のタイプのビーコン信号を送信する基地局へ情報を通信するのに用いるトーンに対しても固定された周波数関係を有するシステム。
【請求項２４】
前記アップリンク周波数帯域と前記ダウンリンク周波数帯域との接合が外され、前記ダウンリンク周波数帯域内のトーン間の間隔よりも大きな間隔によって相互に分離される請求項２３に記載のシステム。
【請求項２５】
請求項２２に記載のシステムであって、
前記第１のタイプのビーコン信号がダウンリンク周波数帯域で送信され、前記第１の周波数帯域と前記第２の周波数帯域とがダウンリンク周波数帯域であるシステムにおいて、
前記第１の基地局送信機を制御する手段が、
前記第１の基地局送信機を制御して、第１の基地局へ信号を送信する際の利用対象アップリンク周波数帯域の周波数位置を示す情報を前記第１の周波数帯域で周期的に送信を行う手段をさらに備え、
前記第２の基地局送信機を制御する手段が、
前記第２の基地局送信機を制御して、第２の基地局へ信号を送信する際の利用対象アップリンク周波数帯域の周波数位置を示す情報を前記第２の周波数帯域で周期的に送信を行う手段をさらに備えるシステム。
【請求項２６】
無線端末装置を作動させて、キャリア周波数に対応する周波数帯域内のビーコン信号を周期的ベースで送信する基地局が利用する前記キャリア周波数を決定する方法であって、
第１の時間枠の少なくとも１部の時間枠中に、第１の周波数帯域の中にビーコン信号が存在するかどうかの判定を行って、前記第１の周波数帯域を前記第１の時間枠中にモニタするステップであって、
前記モニタステップにより検出されたビーコン信号の存在が前記モニタステップによって前記第１の時間枠中に示された場合、追加ステップが、
ｉ）前記モニタ対象周波数帯域の幅よりも少ない周波数の量だけ前記モニタ対象周波数帯域を変更するステップと、
ｉｉ）第２のビーコン信号を検出するためにモニタを行うステップと、
ｉｉｉ）前記基地局から通信サービスを得るために、前記無線端末装置により利用可能なキャリア信号周波数を、少なくとも前記第１の検出済みビーコン信号の周波数と、前記第２の検出済みビーコン信号の周波数とから決定するステップと、を実行するステップを有する方法。
【請求項２７】
周波数サービス帯域が、前記キャリア周波数と関連づけられ、前記モニタ対象信号帯域が前記周波数サービス帯域と同じ周波数を有する請求項２６に記載の方法。
【請求項２８】
前記周波数サービス帯域が、前記基地局からダウンリンク信号を通信するのに用いるダウンリンク周波数帯域である請求項２７に記載の方法。
【請求項２９】
請求項２６に記載の方法であって、前記第１の時間枠内にビーコンが検出されなかった場合、
前記モニタ対象周波数帯域を第２のモニタ対象周波数帯域へ変更するステップであって、前記第２のモニタ対象周波数帯域は、多くても前記モニタ対象周波数帯域の幅となる量だけ前記第１のモニタ対象周波数帯域とは異なるステップをさらに含む方法。
【請求項３０】
請求項２９に記載の方法であって、
前記第２の時間枠の少なくとも１部の時間枠中に、ビーコン信号が前記第２のモニタ対象周波数帯域の中に存在するかどうかの決定をするため、前記第２のモニタ対象周波数帯域を第２の時間枠の間モニタするステップをさらに有する方法。
【請求項３１】
請求項３０に記載の方法であって、
前記モニタにより検出されたビーコン信号の存在が、前記モニタステップによって前記第２の時間枠中に示された場合、追加ステップが、
ｉ）前記モニタ対象周波数帯域の幅よりも少ない周波数の量だけ前記モニタ対象周波数帯域を変更するステップと、
ｉｉ）第２のビーコン信号を検出するためにモニタを行うステップと、
ｉｉｉ）前記基地局から通信サービスを得るために、前記無線端末装置により利用可能なキャリア信号周波数を、少なくとも前記第１の検出済みビーコン信号の周波数と、前記第２の検出済みビーコン信号の周波数とから決定するステップと、を実行するステップを有する方法。
【請求項３２】
ビーコン信号の検出を行う前記モニタステップが受信信号トーンのエネルギを検出するステップを含む請求項２６に記載の方法。
【請求項３３】
前記検出済みビーコン信号を送信する前記送信機とのシンボルタイミングの同期を行う前に、ビーコンを検出する前記モニタステップを行う請求項３２に記載の方法。
【請求項３４】
前記ビーコン信号が複数の異なるタイプのビーコン信号であってもよく、第１のタイプのビーコン信号が、前記周波数サービス帯域での最小トーンから得られる固定周波数オフセット値を有するトーンで送信され、前記第１のタイプのビーコン信号が、前記周波数サービス帯域で送信される任意のビーコン信号の最小トーンまたは最大トーンを利用して送信され、その場合、前記モニタ対象周波数帯域の幅未満の周波数の量だけ前記モニタ対象周波数帯域を変更するステップｉ）が、前記モニタ対象周波数帯域が前記モニタ対象周波数帯域の最上部から得られる予め選択された固定オフセット値で前記検出済みビーコン信号の周波数を有するように、前記モニタ対象周波数帯域を変更するステップを含む請求項２９に記載の方法。
【請求項３５】
請求項２７に記載の方法であって、前記所定のキャリア周波数がダウンリンクキャリア周波数であり、
前記決定済みダウンリンクキャリア周波数と、前記決定済みダウンリンクキャリア周波数から得られるアップリンクキャリアオフセット値を示す格納済み情報とから、利用対象アップリンクキャリア周波数を決定するステップをさらに有する方法。
【請求項３６】
請求項２８に記載の方法であって、
アップリンクキャリア周波数情報を求めて決定済みダウンリンク周波数帯域をモニタすることにより得られる情報から利用対象アップリンクキャリア周波数を決定するステップをさらに有する方法。
【請求項３７】
周波数帯域内のビーコン信号を周期的ベースで送信する基地局を含むシステムで利用する無線端末装置であって、
前記第１の時間枠の少なくとも１部の時間枠中に、ビーコン信号が前記第１の周波数帯域の中に存在するかどうかを判定するため、第１の周波数帯域を第１の時間枠の間モニタする手段であって、
前記モニタ手段により検出されたビーコン信号の存在が前記モニタによって前記第１の時間枠中に示された場合、追加手段を行う手段が、
ｉ）前記モニタ対象周波数帯域の幅よりも少ない周波数の量だけ前記モニタ対象周波数帯域を変更する手段と、
ｉｉ）第２のビーコン信号を検出するためにモニタを行うステップと、
ｉｉｉ）前記基地局から通信サービスを得るために、前記無線端末装置により利用可能なキャリア信号周波数を、少なくとも前記第１の検出済みビーコン信号の周波数と、前記第２の検出済みビーコン信号の周波数とから決定するステップと、を実行する手段を有する無線端末装置。
【請求項３８】
周波数サービス帯域が前記キャリア周波数と関連づけられ、前記モニタ対象信号帯域が前記周波数サービス帯域と同じ周波数幅を有する請求項３７に記載の無線端末装置。
【請求項３９】
前記周波数サービス帯域は、前記基地局からダウンリンク信号を通信するのに用いられるダウンリンク周波数帯域である請求項３８に記載の無線端末装置。
【請求項４０】
請求項３７に記載の無線端末装置であって、
前記第１の時間枠内にビーコンが検出されなかった場合、追加ステップを行う手段が、
前記モニタ対象周波数帯域を第２のモニタ対象周波数帯域へ変更するステップであって、前記第２のモニタ対象周波数帯域は、多くても前記モニタ対象周波数帯域の幅となる量だけ前記第１のモニタ対象周波数帯域とは異なる追加ステップを行う手段をさらに備える無線端末装置。
【請求項４１】
請求項４０に記載の無線端末装置であって、
前記第２の時間枠の少なくとも１部の時間枠中にビーコン信号が前記第２のモニタ対象周波数帯域の中に存在するかどうかを判定するため、第２の時間枠の間前記第２のモニタ対象周波数帯域をモニタする手段をさらに有する無線端末装置。
【請求項４２】
請求項４１に記載の無線端末装置であって、
前記モニタステップにより検出されたビーコン信号の存在が前記第２の時間枠中に示された場合、さらなるステップを行う手段が、
ｉ）前記モニタ対象周波数帯域の幅よりも少ない周波数の量だけ前記モニタ対象周波数帯域を変更するステップと、
ｉｉ）第２のビーコン信号を検出するためにモニタを行うステップと、
ｉｉｉ）前記基地局から通信サービスを得るために、前記無線端末装置により利用可能なキャリア信号周波数を、少なくとも前記第１の検出済みビーコン信号の周波数と、前記第２の検出済みビーコン信号の周波数とから決定するステップとからなるさらなるステップを行う手段をさらに有する無線端末装置。
【請求項４３】
請求項３７に記載の無線端末装置であって、前記キャリア周波数がダウンリンクキャリア周波数であり、
アップリンクキャリア周波数が位置する前記ダウンリンクキャリア周波数から得られる周波数オフセット値を示す格納済み情報をさらに有する無線端末装置。
【発明の詳細な説明】
【技術分野】
【０００１】
本発明は通信システムに関し、さらに詳細には、キャリアサーチの容易化および／または実施のための方法および装置に関する。
【背景技術】
【０００２】
種々のサービスプロバイダが、相対的に種々の制限を受ける地理上の領域での無線通信スペクトルの可用性に基づいて種々の周波数帯域の周波数スぺクトルを取得している。これらのサービスプロバイダのうちの少なくともいくつかの目標として、領域毎に取得可能な使用可能周波数帯域を利用するサービスの提供によって相対的に広いネットワークの創成を行うという目標がある。
【０００３】
マルチチャネルマルチポイント配信システム（ＭＭＤＳ）帯域という名称が時として用いられるタイトルであるが、この名称は異なる地理上の領域内の複数の異なる周波数帯域によって形成される目新しい（unconventional）帯域について説明するものである。ＭＭＤＳによって、地理上の異なる位置における異なる周波数スぺクトルに対する権利を所有しているサービスプロバイダは好機を利用することが可能となる。ＭＭＤＳ帯域は、都市や州などの異なる地理上の領域においてサービスプロバイダを異なる周波数帯域に割り当てられることも可能であるという点で目新しいものである。異なる地理上のエリアにおいて利用対象キャリア周波数が異なるものであってもよく、その領域内の特定のサービスプロバイダによって決定することも可能であるという点も目新しい点である。したがって、移動局がサービス対象エリアに入る際に最初に同調を行って追加のキャリアおよび／または帯域割当て情報を取得することができる国全体などの広域間でずっと認知されてきた単一の一次キャリアは存在しなくなる。
【０００４】
サービスプロバイダは、スペクトルの可用性に応じて異なるエリア内の異なるキャリアでシステムを配備することが可能となる。任意の数の異なるエリア内で作動可能な無線端末装置は、エリアに入る際に利用可能なキャリアをサーチし、発見して、ＭＭＤＳ帯域の利用サービスを取得できるように図る必要がある。さらに、ＦＤＤ（周波数分割二重化）システムでは、ダウンリンクキャリア周波数と、アップリンクキャリア周波数とのペアリングを広域間でずっと固定しないようにすることも可能であり、例えば、ダウンリンク信号送信に利用される異なるキャリアを異なる地理上のエリアでアップリンク信号送信に利用される異なるキャリアと関連づけることも可能である。
【０００５】
異なる位置における異なる周波数帯域および／またはキャリアの利用は、どのような周波数帯域および／またはキャリア周波数（または複数の周波数）を特定の地理上の領域で利用すべきかに関して、無線端末装置の直面するタスクを大幅に複雑にする可能性があることを上記解説から理解すべきである。
【０００６】
したがって、無線端末装置が特定の地理上の領域で通信目的のために利用する単複のキャリア周波数および／または周波数帯域を迅速かつ効率良くサーチし、見出すことを可能にする装置および方法の必要性が存在することになる。
【発明の開示】
【発明が解決しようとする課題】
【０００７】
本発明は、１以上の地理上の領域において基地局や別の装置と通信を行うときなどに、無線端末装置により利用すべき１以上のキャリアおよび／または周波数帯域の検出を容易にするための利用可能な方法および装置を目的とするものである。本発明の種々の実施形態は、ビーコン信号送信を利用して、利用対象のキャリアおよび／または周波数帯域の検出と選択とを容易にするものである。本発明の方法および装置は、セル毎に単一のセクタまたは複数のセクタを有するセルを含むシステムで利用することが可能である。
【課題を解決するための手段】
【０００８】
本発明によれば、アップリンク信号送信および／またはダウンリンク信号送信を行うために異なる基地局が異なるキャリア周波数を利用することが可能となる。ユーザデータおよび／または制御信号などの情報の通信に利用される周波数帯域は個々のキャリア周波数と関連づけられる。異なる周波数に対応する異なるトーンを用いて、通信目的のために個々の周波数帯域を分割して、複数の異なるトーンに変えることも可能である。
【０００９】
本発明によれば、システムにおける個々の基地局は、本願でビーコン信号と呼ぶ１以上の大電力信号を周期ベースで周期的に送信して、周波数帯域および／またはキャリア信号の検出を容易にする。キャリア信号は基地局がビーコン信号を送信する際の通信に利用される。
【００１０】
本発明を利用するシステムによっては、異なるセクタおよび／またはセル内の基地局送信機が、ビーコン信号と呼ばれる場合もある大電力信号を周期的に送信して、時として基地局送信機自身のダウンリンク周波数帯域の中へ入れるものもある。ビーコン信号とは、通常１個の、しかし、時として数個の場合もある（周波数という点から見て）狭い信号トーンなどの信号成分を含む信号であり、これらの信号はユーザデータ信号のような他の信号と比べて相対的に高い電力で送信される。実施形態によっては、ビーコン信号が個々に１以上の信号成分を含むものもあり、その場合個々の信号成分は別のトーンに対応する。実施形態によっては、ビーコン信号成分が、ユーザデータ信号および／または非ビーコン制御信号の送信に用いられる信号トーンのトーン信号エネルギ当たりの平均値の１０倍、２０倍、３０倍またはそれ以上の倍数のトーン信号当たりエネルギを含むものもある。単一のトーンビーコン信号の場合には、ビーコン信号の周波数は、ビーコン信号を形成する単一の大電力トーンの周波数から容易に決定される。
【００１１】
ビーコン信号として１以上の大電力トーンが利用されるケースでは、ビーコン信号の周波数は、本願の目的のために所定の周波数定義に従って定められた周波数である。この定義は所定の実施構成用として固定された定義であり、したがって、ビーコン信号がどのように解釈されることになるかという点から見て予測可能な定義である。多くの実施形態では、複数のトーンを有するビーコン信号の周波数は予め定義されて、ビーコン信号の中に含まれる最小または最大トーンの周波数などの、ビーコン信号内のトーンのうちの１つの周波数になる。別の実施形態では、ビーコン信号の周波数は、ビーコン信号内の少なくとも１つの大電力トーンの周波数に基づくように定義されるが、複数の大電力トーンの周波数の組み合わせである値となるように決定することも可能である。ビーコン信号の周波数が決定される態様は変動する場合もあるが、ある特別のアプリケーションにおける特定タイプの個々のビーコン信号の周波数の一貫性のある定義を利用することによって、ビーコン信号情報の適切な解釈を行うことが可能となる。
【００１２】
キャリアビーコン信号が通常単一のトーンビーコン信号として実現されるものと考えて、主として単一のトーンビーコン信号の実施構成というコンテキストで本発明のコンセプトについて説明する。しかしながら、本発明の方法および装置はこのような実施構成例に限定されるものではないと理解すべきである。
【００１３】
さまざまなタイプの基地局関連情報を伝えるためにさまざまなタイプのビーコン信号の送信を行うことも可能である。ある時間枠にわたってビーコン信号が検出されたとき、ビーコン信号の送信に用いる単複のトーンの周波数によっておよび／または複数のビーコンの周波数から上記情報を伝えることが可能である。送信されるビーコンパターンは、上記情報を利用して、受信ビーコン信号の意味を解釈することが可能なシステム内の無線端末装置にとって固定された既知のものであってもよい。例えば、ダウンリンク周波数帯域のエッジから固定周波数の距離分だけキャリアビーコンの送信を行うことも可能である。
【００１４】
キャリア情報を伝えるのに用いるビーコン信号のうち少なくとも１つの信号成分（トーンなど）は、ダウンリンク通信用のビーコン信号として送信機が利用する最大トーンまたは最小トーンに対して相対的な固定トーン位置に配置される場合が多い。実施形態によっては、キャリア情報を伝えるのに用いるこの単一のトーンが、上記送信済みビーコン信号のうちのいずれかのビーコン信号の最大電力トーンであるものもある。しかし、これは必須要件ではない。キャリア情報の送信に用いるビーコン信号トーンが周波数という点から見て通常固定されたものであるのに対して、実施形態によっては、キャリアビーコン用として利用されるトーンが、システム内の基地局と無線端末装置との双方に認知されるホッピングパターンに従ってホップする（例えば変動する）ものもある。キャリアビーコン信号は必ずしも常時というわけではないが、ダウンリンク通信目的に利用される周波数帯域内の固定トーン位置で通常送信される単一のトーン信号として実現される場合が多い。しかし、セル識別子ビーコンおよび／またはセクタ識別子ビーコンなどの別のタイプのビーコンが、認知されたホッピングシーケンスに従って、ダウンリンク通信目的に利用される周波数帯域内でホップする場合も多い。多くの実施形態では、キャリアビーコンは、セル識別子ビーコン信号やセクタ識別子ビーコン信号などの別のタイプのビーコン信号よりも低い（例えば頻度がより低い）レートで送信される。
【００１５】
本発明のビーコン送信方法を実現するシステムには通常少なくとも第１と第２のセルなどの複数のセルが含まれる。第１と第２のセルは異なるキャリアを利用する場合が多くなり、したがって、これらのセルが配置される地理上の領域によって左右されて異なる周波数帯域を利用する場合が多くなる。本発明に準拠して、双方のセルがビーコン信号を送信しながら、ほとんどの場合信号の送信タイミングの時間整合を行う必要はなくなり、セルがシンボル送信タイミングに関して同期を行うことはない。このような１つの実施形態例では、ウルトラスロットなどの第１の時間枠中第１の周波数帯域を利用して第１のセル内の第１の基地局セクタ送信機により送信が行われ、これらのウルトラスロットには多数のさらに小さな、例えば第２の時間枠などのスロットが含まれることになる。ビーコンスロットなどの第２の時間枠スロットの各々では、少なくとも１つのビーコン信号が第１の周波数帯域で送信される。ビーコン信号のタイプは、該タイプのビーコン信号が送信されるウルトラスロット内の場所に対応して変動することができる。ウルトラスロットなどのさらに大きなタイムスロット中に少なくとも１つのキャリアビーコンが送信され、実施形態例では、複数のセル識別子ビーコン信号並びにセクタ識別子ビーコン信号が送信される。この実施形態例では、第２のセルは、第２のセル内に生じるウルトラスロットなどの第３の時間枠中、第１の周波数とは異なる第２の周波数帯域を利用して送信を行う第２の基地局送信機を備える。第３の時間枠には、多数のさらに小さな、例えば第４の時間枠などのスロットが含まれる。第２のセル内のビーコンスロットなどの上記第４の時間枠スロットの各々では、少なくとも１つのビーコン信号が送信される。第２のセル内のウルトラスロットなどのさらに大きなタイムスロット中に、第２のセルで利用される少なくとも１つのキャリアビーコンがダウンリンク周波数帯域内で送信され、さらに、実施形態例では、複数のセル識別子ビーコン信号並びにセクタ識別子ビーコン信号が、利用されるダウンリンク周波数帯域で送信される。第１と第２のセルで異なる周波数帯域が利用されるため、キャリアビーコンは、例えば、周波数帯域の端部のうちの一方から周波数に関して固定オフセットで配置されるトーンを用いて異なる周波数で送信されることになる。
【００１６】
いくつかの特定の実施形態では、キャリアビーコントーンなどのキャリアビーコンの特定を容易にするために、セクタまたはセルを用いて送信を行う最小トーンまたは最大トーンとしてこれらのビーコンは送信される。セルで利用される別のビーコン信号のホッピングを行いながら、キャリアビーコン信号のホッピングを行わないというオプションの特徴と組み合わされて、このオプションの特徴を利用するとき、キャリアビーコンの特定は相対的に容易になる。実施形態によっては、キャリアビーコンが、セル内で利用される唯一の固定トーンビーコンであり、他のすべてのビーコンタイプがホップされるものもある。しかし、これはすべての実施形態に対する限定ではない。
【００１７】
実施形態によってはアップリンク信号送信に利用するキャリア周波数並びに対応する通信帯域が固定された関係を有するものもある。例えば、本発明に基づいて検出可能なダウンリンクキャリア周波数から得られる既知の周波数差を有するようなものもある。固定された関係が存在するとき、無線端末装置は周波数関係情報を格納することができる。格納済み情報とダウンリンクキャリア周波数に関する受信ビーコン信号から決定される情報とを利用して、無線端末装置は、ダウンリンクキャリア周波数および／または帯域が特定されるとすぐに、アップリンクキャリア周波数および／またはキャリア帯域を決定することができる。別の実施形態では、利用するダウンリンク周波数帯域の決定後に、無線端末装置は、利用対象アップリンクキャリアおよび／または周波数帯域を示す放送情報用のダウンリンク周波数帯域のモニタを行う。この情報は、ダウンリンクキャリアからのオフセット値として、あるいはアップリンク周波数帯域のキャリア周波数および／または幅を示す明示的なメッセージとして、通信することができ、検出されるキャリアビーコン信号を送信した基地局との通信時に利用するようにしてもよい。
【００１８】
新規のビーコン送信方法を利用する種々のキャリア検出技術、並びに、受信機による利用対象周波数帯域の位置および／または幅の決定を可能にする予測可能な方法でダウンリンクでビーコンを送信するという事実について以下詳細に解説する。上記検出技術には、ビーコン信号用の周波数帯域をサーチし、ビーコン信号の検出に従ってチェックされた周波数帯域を調整し、第２のビーコン信号をモニタし続けるステップが含まれる。検出済みビーコン信号の一方または双方の周波数に基づいて、ダウンリンク通信信号送信に利用するキャリア周波数および／または周波数帯域が決定される。
【００１９】
特に、ビーコン信号の利用によって、どのキャリア周波数を利用すべきかについて受信機によって検出を行うことと、利用対象キャリアに対応する通信帯域の位置の検出を行うことが可能となるが、これらの検出では、受信ビーコン信号に印加されるエネルギの検出技術を利用して、無線端末装置が、シンボルタイミングやビーコン信号を送信する基地局とキャリア周波数の同期を行う必要はなく、さらに、ビーコン信号を無線端末装置へ送信したときに経由したチャネルの推定値を予め生成する必要もなくなる。したがって、多くのケースで、復号化を行うためのシンボルタイミングの同期を要求するＯＦＤＭシンボルが復号化と解釈とを受けることが可能とならないうちに、ダウンリンク信号送信に利用する周波数帯域の決定を行うことが可能となる。
【００２０】
上記方法および装置はＯＦＤＭ通信システムのみならず別のタイプの通信システムにおいても好適に利用される。ＯＦＤＭシステムでは、個々のＯＦＤＭシンボル送信時間枠中、送信機によって複数の変調シンボルが頻繁に同時送信される。実施形態によっては、個々のビーコンスロットが、１０回以上の、例えば１６回以上のＯＦＤＭシンボル送信時間枠を含むものもある。実施形態によっては個々のウルトラスロットが複数のビーコンスロットを含むものもある。実施構成によっては、個々のウルトラスロットが、１，０００回以上などの非常に多数のシンボル送信時間枠を含むものもあれば、実施形態によっては１０，０００個以上のシンボルの送信時間枠を含むものもある。トーンの数と、アップリンク信号送信およびダウンリンク信号送信に利用される帯域幅とが、異なるシステム実施構成において並びにあるシステムの異なるセルまたはセクタ内において異なる場合もある。１つの特定の実施形態例では、ダウンリンク信号送信時に利用されるトーンの数が１００トーンを上回るものもある。アップリンク信号送信とダウンリンク信号送信とに利用される周波数帯域間の間隔が、ダウンリンク信号送信に利用されるトーン間の間隔の場合同様ほとんどない場合もあるが、実施形態によっては、アップリンク周波数帯域とダウンリンク周波数帯域とが多数のトーンによって分離されているものもある。このような実施形態では、ダウンリンクキャリアに対して相対的な利用対象のアップリンクキャリアの所在位置に関する情報が、適切な利用対象アップリンクキャリアの決定にとって重要となる場合がある。上述のように、特定の実施形態に依存して、特定のダウンリンクキャリアまたは周波数帯域に対して相対的なアップリンクキャリア情報を予め格納することが可能であり、その場合、上記関係はシステムあるいは領域を通じてずっと固定されたものとなるか、ダウンリンクを介して送信された信号からその関係を取得することが可能となる。
【００２１】
アップリンク信号送信とダウンリンク信号送信用のはっきりと異なる周波数帯域が多くの実施形態で利用されるが、周知のパターンに従ってインタリーブされたアップリンク帯域とダウンリンク帯域においてアップリンク信号送信とダウンリンク信号送信とがトーンなどとオーバーラップするようにすることは可能である。
【００２２】
本発明の方法および装置に対する多数の変更例が可能である。本発明の特徴の多くについて解説したが、本発明の方法および装置の追加の特徴、利点および実施形態例を以下の詳細な説明の中で示すことにする。
【発明を実施するための最良の形態】
【００２３】
本発明は、１以上の地理上の領域で基地局や別の装置との通信を行う際などに、無線端末装置が利用する１以上のキャリアおよび／または周波数帯域の検出を容易にする利用可能な方法および装置を目的とするものである。本発明の種々の実施形態は、ビーコン信号送信を利用して、利用対象のキャリアおよび／または周波数帯域の検出と選択とを容易にするものである。本願のコンテキストでは、ビーコンとは、同時に送信される１以上の相対的に大きな電力の狭帯域信号を含む信号である。ビーコン信号内の個々の狭帯域信号は単一のトーンに対応するものであってもよい。ビーコン信号は、データ信号の送信に利用されるよりも多くの電力を用いて通常送信され、例えば、最大電力データ信号と同量の電力の２倍、５倍、２０倍、１００倍あるいはさらにこれ以上の電力の送信が行われる。
【００２４】
本発明の方法および装置は多種多様の通信システムに適用可能であるが、特に、直交周波数分割多重化システムなどの周波数分割多重化システムでの利用に好適である。
【００２５】
本発明に準拠してキャリアを発見するためにビーコン信号を利用して相対的に少ない複雑さと、効率のよいおよび／またはロバストな方法とをサポートする直交周波数分割多重（ＯＦＤＭ）システムの例示コンテキストで本発明の方法および装置について説明する。上述したように、ビーコン信号は大電力信号であり、この電力信号は、通常ビーコン信号の同じ帯域幅を有するいずれの単一のパイロット信号やデータ信号よりもずっと大幅に強力なものである。事実、ビーコン信号は、相対的に検出を容易にする標準的パイロットやデータトーンから見てさらに何倍もずっと強力である場合が多い。ビーコンは通常、単一のトーンなどの帯域幅を占有することがほとんどないため、ビーコン信号（トーン）の周波数がビーコン信号トーンの決定を行うことは相対的に容易である。複数のトーンを持つビーコン信号の場合、本発明の実施形態によっては、ビーコン信号の中に最大周波数または最小周波数を有するビーコン信号トーンなどのビーコン信号トーンのうちの１つの信号トーンの周波数が、ビーコン信号の周波数として利用されるものもあり、ビーコン信号の周波数の決定に利用されるこのトーンは、場合によってはビーコン信号内のその他のトーンよりもさらに多くの電力と共に送信されることもある。しかし、本発明の方法を実施するとき、上記アプローチが一貫したものである限り、ビーコン信号トーンの送信周波数を決定する別のアプローチを利用することも可能である。ビーコン信号は通常短い継続時間を有し、１つのＯＦＤＭ実施形態例では１回のＯＦＤＭシンボル送信時間枠を占有する。ビーコン信号は一般に、通常のデータ信号送信および制御信号送信と比較して相対的に低い頻度で送信される。
【００２６】
図１は、サービス帯域内で利用することも可能なビーコン信号送信例を例示する図面１００を示す。サービス帯域とは帯域幅の関心対象のシステムが配備される帯域幅である。例えば、１.２５ＭＨｚのサービス帯域もあれば、５ＭＨｚのサービス帯域のものもある。横軸１０２は周波数を表す。範囲１０４は１.２５ＭＨｚのサービス帯域を表す。キャリア周波数はｆｃ１０６と表され、必ずというわけではないが、サービス帯域１０４内の中心部に配置される場合が多い。ビーコン信号はダウンリンクの放送チャネルで基地局から送信され、個々のビーコン信号は、例えばビーコン信号トーンに集中されるすべてまたはほとんどのセクタ送信電力を有する単一のＯＦＤＭシンボルの単一のトーンである。ビーコン信号は９０ミリ秒毎に一回などのように周期的に送信される。さまざまなタイプのビーコンによって信号送信が行われ、例えば、スロープビーコン、セクタビーコン並びにキャリアビーコンなどの送信を異なる時刻に行うことも可能である。スロープはセル識別子であることに留意されたい。実施形態によっては、周波数領域において、スロープビーコンおよびセクタビーコンの位置が時間の経過に伴って変動する（ホップする）場合があるのに対して、周波数領域内のキャリアビーコンの位置がキャリアに対して相対的に固定位置にあるものもある。図１は、時刻Ｔ１に生じる第１のスロープビーコン１０８と、時刻Ｔ２に生じる第１のセクタビーコン１１０と、時刻Ｔ３に生じる第２のスロープビーコン１１２と、時刻Ｔ４に生じる第２のセクタビーコン１１４と、時刻Ｔ５に生じるキャリアビーコン１１６とを示す図である。スロープビーコンの周波数１０８、１１２並びにセクタビーコン１１０、１１４は固定されたものではなく、時間の経過に伴って変動するのに対して、キャリアビーコン１１６の位置はｆＣＢにおいて固定しており、キャリア周波数ｆｃ１０６に関して固定オフセット値１１８が存在することに留意されたい。実施形態によってはキャリアタイプビーコン１１６は、スロープおよびセクタタイプのビーコンよりも時間的に低い頻度で送信されるものもあり、例えば、１つのキャリアビーコン１０６は１６個のビーコンスロット毎に送信される。
【００２７】
図２は、同様の別のビーコン信号送信の実施形態例を表す例図２０００を提示するものであり、図２の例図は時間−周波数グリッドで示されている。図２で、横軸２００４は時間を表し、縦軸２００２はダウンリンク周波数すなわちトーンを表す。縦軸の個々の分割が１つのトーン２００８を表すものであるのに対して、横軸の個々の分割は１つのＯＦＤＭシンボル２０１０を表す。この図内の個々の小さなボックスはＯＦＤＭシンボル内の単一のトーンを表し、時にはトーン・シンボルと呼ばれることもある。グリッド２００６は３０個のＯＦＤＭシンボル２０１０または３００個のトーン・シンボルにわたる１０個のトーン２００８を示す。個々のトーン・シンボルを用いて、ビーコン信号、通常の／制御データを伝えたり、未使用のままにしておいたりすることができる。説明文２０１６は、水平線斜線によるキャリアビーコントーン２０１８と、左から右下方への対角線で陰をつけたスロープビーコントーン２０２０と、左から右上方への対角線で陰をつけたセクタビーコントーン２０２２と、クロスハッチ陰影による通常のデータ／制御トーン２０２４とを特定するものである。グリッド２００６内の、斜線がつけられないままになっている小さなボックスは、未使用状態のままのＯＦＤＭシンボル中のトーンを表す。図２の例では、ビーコン信号は特別のＯＦＤＭシンボルであり、ほとんどすべてのダウンリンク送信電力が単一のトーンに集中しているのに対して、その他すべてのトーンではほとんどゼロの電力が利用される。１つの実施形態では、２つの任意の連続するビーコン信号間の時間間隔、これはビーコンスロットと呼ばれる、が定数となるようにビーコン信号が周期的に送信される。したがって、ビーコンスロットの中には１つのビーコン信号が生じることになる。図２は例示のビーコンスロット２０１２を示し、このビーコンスロット２０１２には４個の連続するＯＦＤＭシンボルが含まれ、１個のＯＦＤＭシンボルはビーコン信号用として利用され、３個のＯＦＤＭシンボルを利用してデータ／制御の信号送信が伝えられる。図２は、異なるビーコン信号の周波数トーン位置が異なるものであることをさらに示す図である。図２の例では、キャリアビーコントーンのトーン位置が固定された状態のままであるのに対して、スロープのトーン位置とセクタビーコントーンとは時間の経過に伴ってホップする。キャリアビーコントーンはスロープあるいはセクタビーコントーンよりも低い周波数になる。図２で、キャリアビーコンはスロープビーコンとセクタビーコンよりも低い頻度で送信される。１つのキャリアビーコンが２個のスロープビーコンおよび２個のセクタビーコン毎に送信される。ビーコントーンのパターンはウルトラスロットと呼ばれるさらに大きな時間間隔で繰り返す。図２の例では、１つのキャリアビーコンがウルトラスロット毎に生じ、このウルトラスロットには５個のビーコンスロットが含まれる。
【００２８】
図２は本発明の種々のコンセプト並びに特徴を例示する目的のために提示される。１つの実施形態例は、本発明に準拠して、１１３個のダウンリンクトーン、９０４個のＯＦＤＭシンボルの中から１個のＯＦＤＭシンボル用のビーコン信号、９０ミリ秒の継続時間のビーコンスロット、１６個のビーコンスロットすなわち１.４４秒のスパンのウルトラスロット、ウルトラスロット当たりの固定トーン位置における１つのキャリアビーコン、および、ウルトラスロット当たり１５個のスロープビーコン／セクタビーコンを含むことも可能である。実施形態例によっては、ウルトラスロット当たり２５個のビーコンスロットを含むようにすることも可能である。
【００２９】
サービス帯域内で、実施形態によってはキャリアビーコンの周波数トーンの方がスロープビーコンまたはセクタビーコンのいずれかのビーコンの周波数トーンよりも低くなるものもあることに留意されたい。後程明らかになるように、このトーン配置構成は、キャリアビーコン信号のサーチに寄与することになる。キャリアビーコンの周波数トーンの方がスロープビーコンまたはセクタビーコンのいずれかのビーコンの周波数トーンよりも高ければ、同じ利点を得ることが可能となることがわかる。
【００３０】
図３は、異なるエリアにおける目新しい帯域内に各種サービス帯域を配備するキャリア配備状況例を示す図面７００である。横軸７０１は周波数を表す。図３で、目新しい帯域７０２は合計５０ＭＨｚの帯域幅を有する。ＦＤＤシステムでは、５０ＭＨｚは２つの帯域（７０４、７０６）を含むように仕切られ、一方の帯域７０４はダウンリンク用として利用され、他方の帯域７０６はアップリンク用として利用される。目新しい帯域７０２には、ダウンリンク帯域とアップリンク帯域（７０４、７０６）との間の分離帯域７０８も含まれる。実施形態によっては目新しい帯域７０２がダウンリンク帯域とアップリンク帯域とに分割され、分離帯域を含まないものもある。図３は、ダウンリンクとアップリンクの双方でサービスプロバイダが１.２５ＭＨｚサービス帯域を有することも示す図である。しかし、ダウンリンクとアップリンクとのサービス帯域は異なる地理上のエリアでは異なるものとなり、ダウンリンクキャリアとアップリンクキャリアとの間の間隔も変動する。１つのエリアでは、サービスプロバイダがキャリア間隔７１４を持つダウンリンク帯域７１０およびアップリンク帯域７１２を有するのに対して、サービスプロバイダは別のエリアではキャリア間隔７２０を持つダウンリンク帯域７１６およびアップリンク帯域７１８を有する。
【００３１】
無線端末装置は、ダウンリンクサービス帯域およびアップリンクサービス帯域の所在位置を認知していないため、キャリアサーチ処理手順を実行する必要がある。キャリアサーチ処理手順は２つの一般的ステップを含むものである。第１のステップで、無線端末装置はダウンリンク信号内のエネルギのチェックを行うことによって、ビーコン信号の存在を検出するのに可能なサービス帯域を迅速に走査する。ビーコン信号を検出した後、第２のステップで、無線端末装置はキャリアビーコン信号をサーチして、キャリアの所在位置の特定を図る。
【００３２】
いずれかのステップで、ビーコン信号を検出するために、無線端末装置は、サーチ周波数をセットし、サーチ周波数で中心部に配置されたサーチ帯域のダウンリンク信号をモニタする。１つの実施形態では、サーチ帯域は、１.２５ＭＨｚなどのサービス帯域と同じ帯域幅を有する。上記利点として、無線端末装置が、キャリアサーチ処理用、および、通常のサービス用のＲＦフィルタのような同じハードウェア装置を利用できるという点が挙げられる。
【００３３】
対応するサーチ帯域用として、所定のサーチ周波数キャリアが、サービス帯域とオーバーラップしないか、部分的にオーバーラップするか、あるいは完全にオーバーラップするかのいずれかの可能性があることに留意されたい。サーチ帯域がサービス帯域とオーバーラップしなければ、無線端末装置はビーコンスロットのいずれの時間間隔の中にもいずれのビーコン信号も検出しないことになる。サーチ帯域がサービス帯域と完全にオーバーラップすれば、無線端末装置はいずれかのビーコンスロットの時間間隔の中でビーコン信号の検出を行うことになる。サーチ帯域がサービス帯域と部分的にオーバーラップする場合、無線端末装置はビーコンスロットのいずれかの時間間隔の中に何らかのビーコン信号を検出できるかもしれないし、できないかもしれない。
【００３４】
図４は本発明に準拠するキャリアサーチ方法の例を示す図面８００である。図４は縦軸８０２に周波数のプロット対横軸８０４に時間のプロットを含む。図４はダウンリンク帯域８０６も含む。ダウンリンク帯域８０６は、ＷＴが現在位置しているエリア用の最小限の周波数８０７とサービス帯域８０８とを含む複数のサービス帯域とを含む。サービス帯域８０８は、キャリアビーコンと、スロープ／セクタビーコンとを含む周期的に送信されるビーコン信号を含み、スロープ／セクタタイプのビーコンはキャリアタイプビーコンよりも頻繁に送信される。説明文８０１には、水平線で陰をつけた小さな正方形によって例示される例示のキャリアタイプビーコン８１０と、対角線で陰をつけた小さな正方形によって示される例示のスロープ／セクタタイプビーコン８１２とが含まれる。説明文８０１のこの陰影表示はサービス帯域のビーコン８０８の中で利用される。キャリアビーコン８１０はサービス帯域８０８内のビーコンタイプの最小周波数ビーコンである。図４はサーチ帯域の帯域幅８１６を含むサーチ帯域８１４も含む。サーチ帯域の帯域幅８１６はサービス帯域の帯域幅と同じサイズである。サーチ対象周波数という点から見たサーチ帯域８１４はサーチ処理中に移動し、異なる時刻におけるサーチ帯域８１４ａ、８１４ｂ、８１４ｃとして表される。ステップサイズ８１８は第１回のモニタ間隔時間中にビーコンが発見されなかった場合のサーチ帯域８１４の移動量である。サーチ周波数８２０の調整は、第１回のモニタ用時間間隔中に検出されたビーコンに基づくサーチ帯域８１４の移動量である。サーチ帯域８１４内の上記検出済みビーコンの所在位置の関数として、調整量８２０は変動することができる。図面８００は２つの連続する第１回のモニタ用時間間隔（８２２、８２４）を含む。第１回の最初のモニタ用時間間隔８２２中にはビーコンは検出されない。１つのビーコン８２６が第１回の２番目のモニタ用時間間隔８２４中に検出される。第２回のモニタ用時間間隔８２８が、第１回の２番目のモニタ間隔８２４に後続する。この第２回のモニタ用時間間隔８２８は継続時間が第１のモニタ間隔よりも長く、２つの連続する検出済みのキャリアビーコン８３０、８３２を含む。
【００３５】
例示のキャリアサーチ方法について以下説明する。８１４ａによって表されるように、サーチ帯域８１４がダウンリンク帯域のローエンド８０６をカバーするようにサーチ周波数をセットすることによって無線端末装置は第１のステップを開始する。少数のビーコンスロットの順序となる第１のモニタ用時間間隔８２２の間、無線端末装置はサーチ帯域８１４ａのダウンリンク信号をモニタする。例えば、第１のモニタ用時間間隔は、２個のビーコンスロットの継続時間などのビーコンスロットよりもわずかに長くなるようにセットされる。例えば、ビーコンスロットが９０ミリ秒であるケースでは、第１のモニタ間隔は１８０ミリ秒にセットすることも可能である。
【００３６】
無線端末装置が第１回の最初のモニタ用時間間隔８２２の中でいずれのビーコン信号も検出しなければ、無線端末装置はサーチ帯域８１４ａがサービス帯域８０８とオーバーラップしていないという結論を下す。次いで、無線端末装置はステップサイズ８１８分だけサーチ周波数を増加させる。ステップサイズ８１８は、サーチ帯域８１４の帯域幅のサイズ８１６を上回らない方が望ましい。図示の例では、ステップサイズ８１８はサーチ帯域８１４のサイズ８１６、例えば１.２５ＭＨｚなどに等しくなる。１つの実施形態では、ステップサイズはサーチ帯域のサイズ、例えば１.００ＭＨｚあるいはサーチ帯域のサイズの１／２などよりもわずかに小さくなる。
【００３７】
サーチ周波数をステップサイズ８１８分だけ増加した後、無線端末装置は新たなサーチ周波数と、対応する新たなサーチ帯域８１４ｂとをセットする。同様に、無線端末装置は２回目の最初のモニタ用時間間隔８２４の間、新たなサーチ帯域８１４ｂのダウンリンク信号をモニタする。ビーコン信号が検出されなければ、無線端末装置はステップサイズ８１８分だけサーチ周波数の増加を継続し、サーチ処理手順を繰り返す。ビーコン信号が発見された場合、本例に図示のように、無線端末装置は第２のステップへ進む。
【００３８】
第１のステップでの検出済みビーコン信号がキャリアビーコン信号あるいは別のタイプのビーコン信号であってもよいことに留意されたい。サーチ帯域がサービス帯域と部分的にオーバーラップする場合、検出済みビーコン信号がキャリアビーコン信号ではなく、サーチ帯域がキャリアビーコンの周波数トーンをカバーさえしなくなるかもしれない可能性がある。これは、検出済みビーコン８２６がスロープ／セクタタイプビーコン８１２である図４の例のケースであり、サーチ帯域８１４ｂはキャリアタイプビーコン８１０のトーンをカバーしなくなる。第２のステップの開始時に無線端末装置は、まずサーチ周波数を調整して、調整済みサーチ帯域８１４ｃがキャリアビーコンをカバーすることを確認する。例えば、キャリアビーコンが図４の例の場合のように、周波数の点でスロープビーコンあるいはセクタビーコンのうちのいずれかよりも低いと仮定する。この時、無線端末装置はサーチ周波数を調整して、検出済みビーコントーンが調整済みサーチ帯域のハイエンドに、あるいは、任意の所与のサーチ帯域の範囲内のビーコントーン位置の考え得る最高のハイエンドに位置するように図ることができる。図４の例では、無線端末装置は、サーチ帯域８１４ｂからサーチ帯域８１４ｃまで量８２０の分だけサーチ帯域８１４を調整し、これによって、検出済みビーコンの周波数８２６は帯域８１４ｃの最上部の近くに配置されることになる。サーチ帯域８１４ｃにはキャリアビーコンによって利用される周波数が含まれる。
【００３９】
無線端末装置は、少数のウルトラスロットの順序となる第２のモニタ用時間間隔８２８の間調整済みサーチ帯域８１４ｃのダウンリンク信号をモニタするために次へ進む。例えば、第２のモニタ用時間間隔はウルトラスロットよりもわずかに長くなるようにセットされる。例えば、ウルトラスロットがほぼ１.４４秒である１つの実施形態例では、第２のモニタ間隔を１.５秒にセットすることも可能である。第２のモニタ用時間間隔８２８では、無線端末装置は複数のビーコン信号の検出も可能である。無線端末装置は、キャリアビーコントーンの特性に従ってキャリアビーコントーンと関連づけられる上記ビーコン信号８３０、８３２を特定する方が望ましい。例えば、実施形態によってはキャリアビーコン信号がウルトラスロットを正確に繰り返すものもある。実施形態によっては、キャリアビーコントーンがサービス帯域において最小周波数ビーコントーンであるものもある。実施形態によってはサービス帯域におけるキャリアビーコントーンが最大周波数ビーコントーンであるものもある。実施形態によってはキャリアビーコントーンが固定されているのに対して、スロープ／セクタビーコントーンなどの別のタイプのビーコントーンが時間の経過に伴って周波数のホッピングを行うものもある。
【００４０】
図５のフローチャート４００は、本発明に準拠してキャリア周波数を配置する例示による方法を示す図である。ステップ４０２で、無線端末装置の電力がオンになり、未知の位置で初期化するときなどに、キャリアサーチ方法は無線端末装置によって開始される。ステップ４０４へ進み、無線端末装置はサーチ周波数（ＳＦ）を最小限の周波数にセットする。別の実施形態では、開始サーチ周波数が、最後の既知のキャリア周波数を含む最後の所定のサーチ帯域に対応する値にセットされる可能性がある。処理はステップ４０６へ進み、そこで無線端末装置は、基地局から出されるビーコン信号用のＳＦ周辺の中心部に配置された１.２５ＭＨｚ帯域のモニタを行う。次に、ステップ４０８で、無線端末装置はビーコンが第１の時間間隔内に検出されたかどうかのチェックを行う。すなわち、ビーコンスロットが約９０ミリ秒であれば、第１の時間間隔は９０〜１８０ミリ秒の間にすることができる。すなわち、無線端末装置は、９０ミリ秒または１８０ミリ秒の間、ＳＦ周辺の中心部に配置された１.２５ＭＨｚの帯域でビーコン信号の存在をチェックすることも可能となる。現在の帯域内でのモニタの開始から第１の時間間隔（１８０ミリ秒など）内にビーコン信号が検出されれば、処理はビーコン信号の検出に後続するステップ４２８へ進む。しかし、ビーコン信号が現在の帯域でモニタの開始時に第１の時間間隔内に検出されなければ、処理はステップ４１０へ進む。
【００４１】
ビーコン信号がステップ４０８で検出されたと仮定すると、処理はステップ４２８へ進み、そこで検出済みビーコントーンが調整済みサーチ帯域のハイエンドに位置するようにＳＦは、調整される。処理はステップ４１２へ進む。１つのビーコンの発見は、キャリア周波数と、キャリア周波数ビーコンとを含むサーチ帯域が発見されたことを意味する。次に、上記キャリアビーコンは、現在のサーチ帯域内のビーコンのモニタを続行し、無線端末装置によって１つのキャリアビーコンが検出され、特定される（スロープ／セクタビーコンから識別される）まで待機することによってそこに位置することができる。ステップ４１２で、現在の帯域内のいずれかの検出済みビーコンをキャリアビーコンとして特定できるか否かに関する決定が行われる。スロープビーコンとセクタビーコンとは時間の経過に伴ってホップし、ホッピングシーケンスが後続する。実施形態によっては、ホッピングシーケンスが後続しないビーコン信号としてキャリアビーコンを特定できるものもある。実施形態によっては、例えば、スロープビーコンやセクタビーコンよりも下方にあるサーチ帯域において、サーチ帯域における或る予め定めたおおよその位置に在るビーコン信号としてキャリア周波数を特定できるものもある。キャリア周波数ビーコンが固定され、一定の時間間隔で反復するため、実施形態によっては、無線端末装置が２つの連続するキャリアビーコンの受信を待機して、肯定の特定を行うように図るものもある。ステップ４１２で、キャリアビーコンがまだ特定されていなければ、処理はステップ４１４へ進み、そこで無線端末装置は追加のビーコン信号を求めてモニタを継続することになる。ステップ４１６で、追加のビーコン信号が検出されたかどうかに関するチェックが周期的に行われる。ステップ４１６で別のビーコン信号が検出された場合、処理はステップ４１２へ進み、そこで、再び現在の帯域内で検出されたいずれかのビーコンをキャリアビーコンとして特定できるかどうかに関するチェックが行われる。ステップ４１６でのチェックによって、ビーコン信号がまだ検出されていないことが明らかになった場合、処理はステップ４１８へ進み、そこで、タイムアウトチェックが行われる。ステップ４１８で、無線端末装置は、現在の設定の第１の検出済みビーコンが検出されてから、第２のモニタ用時間間隔（１.５秒など）が経過したかどうかの検査を行う。本例では、キャリアビーコンは１.４４秒毎に反復することになっている。１.５秒間隔（タイムアウト時間）が経過していなければ、処理はステップ４１４へ進み、そこで、ビーコンに対するモニタが継続することになる。しかし、１.５秒のタイムアウト間隔が経過した場合、無線端末装置は妥当な間隔内にキャリアビーコンを首尾よく取得し、特定することはできなくなっている。例えば、信号チャネル品質は、現在の設定の第１の（スロープ／セクタ）ビーコンが検出されて以来、受入れ可能なレベル以下に低下している。ステップ４１７で、サーチ周波数は、１.２５ＭＨｚなどの１ステップ増分値分だけ増やされ、新たなサーチ帯域まで変動する。ステップ４１７から処理はステップ４０６へ進み、そこで、サーチは上記新たなサーチ帯域を利用し続ける。
【００４２】
ステップ４１２へ戻ると、現在のサーチ帯域で検出されたビーコンがキャリアビーコンとして特定できる場合、処理はステップ４２０へ進む。ステップ４２０で、キャリアダウンリンク周波数が検出され、上記特定されたキャリア周波数に基づいてセットされる。キャリアビーコンの周波数とダウンリンクキャリア周波数との間で予め定められた、既知のオフセット値が存在する場合もある。次に、決定済みダウンリンクキャリア周波数を利用して、ステップ４２２で無線端末装置はアップリンクキャリア周波数の決定を可能にする情報を求めてダウンリンクチャネルをリスンする。実施形態によっては、アップリンクキャリアが、ダウンリンクキャリアから得られる固定オフセット値になっている場合があるものもある。実施形態によっては、ダウンリンクキャリアとアップリンクキャリア間の上記固定オフセット値が無線端末装置に予め判っていて、無線端末装置と信号送信ステップ４２２とを省くことも可能となる場合もある。次に、ステップ４２４で、無線端末装置はアップリンクキャリア周波数をセットし、無線端末装置と基地局間での通常の通信処理は次に進むことができる。ステップ４２６でサーチ処理は終了する。ステップ４２２で、無線端末装置は、サービス帯域を現在作動させているサービスプロバイダの識別子などの別のシステム情報も取得することが可能となる。無線端末装置は発見したサービスプロバイダの識別子を、それ自身のサービス契約と比較して、検出されたサービス帯域にアクセスするかどうかを決定するようにすることも可能である。さらに、検出済みビーコン信号のエネルギ強度によって、サービス帯域のチャネル品質に関する情報が無線端末装置に与えられ、この情報に基づいて、無線端末装置は、検出済みサービス帯域にアクセスすべきかどうかの決定を行うことが可能となる。
【００４３】
ステップ４０８へ戻ると、ビーコン信号が第１の時間間隔内に検出されなかった場合、無線端末装置は間違ったサーチ帯域に立ち寄っていると仮定することも可能であり、したがって、処理はステップ４１０へ進む。ステップ４１０で、サーチ周波数は、１.２５ＭＨｚなどの１ステップサイズ分だけ増分され、新たなサーチ帯域がセットされる。処理はステップ４１０からステップ４０６へ戻り、そこで新たなサーチ帯域内のビーコンに対するモニタステップが開始される。
【００４４】
ステップ４１０、４１７での増分プロセスをセットして、現在のＳＦが最大限の許容可能なＳＦであるかどうかのチェックを行うようにしてもよい。その場合、サーチ帯域の移行は、通常の増分値１.２５ＭＨｚではなく最小限の許容可能なＳＦまでとなる。
【００４５】
上記時間と周波数とは例示のものとして意図され、特定のシステムの実施構成に依存して変動するようにすることも可能である。
【００４６】
図６は、本発明に準拠して実現される例示の通信システム１０を例示する図である。図６にはセル当たり１つのセクタを用いて示されてはいるものの、実施形態によっては、システムのセルのいくつかあるいはすべてのセルは、マルチ・セクタセルであってもよい。例示のシステム１０には複数のセル（セル１（２）、セル２（２’）、セルＭ（２”））が含まれる。個々のセル（セル１（２）、セル２（２’）、セルＭ（２”））は、それぞれ、基地局（ＢＳ１（１２）、ＢＳ２（１２’）、ＢＳＭ（１２”））用の無線カバーエリアを表す。システム１０内の異なる位置にある少なくとも２つの基地局は異なるサービス帯域を利用する。システム１０内の基地局のうちのいくつかはオーバーラップするセルラカバーエリアを有するものであってもよいし、いくつかの基地局はシステム１０内の別のＢＳのエリアとオーバーラップしないセルラカバーエリアを有するものであってもよい。システム１０は、ネットワークリンク（４、４’、４”）を経由して基地局（ＢＳ１（１２）、ＢＳ２（１２’）、ＢＳＭ（１２”））とそれぞれ接続されたネットワークノード３も備えている。ルータなどのネットワークノード３もネットワークリンク５を経由してインターネット並びに別のネットワークノードと接続される。ネットワークリンク（４、４’、４”、５）は光ファイバリンクなどであってもよい。個々のセルは、無線リンクを経由してセルの基地局と接続される複数の無線端末装置を備え、さらに、無線端末装置は、移動通信装置であれば、システム１０の間をずっと移動することも可能である。セル１（２）では、移動ノード（ＭＮ１（１４）〜ＭＮ  Ｎ（１６））として示される複数の無線端末装置（ＷＴ１（１４）、ＷＴ  Ｎ（１６））が、それぞれ通信信号（１３、１５）の利用を通じて基地局１（１２）と通信を行う。セル２（２’）では、移動ノード（ＭＮ１’（１４’）〜ＭＮ  Ｎ’（１６’））として示される複数の無線端末装置（ＷＴ１’（１４’）、ＷＴ  Ｎ’（１６’））は、それぞれ通信信号（１３’、１５’）の利用を介して基地局２（１２’）と通信を行う。セルＭ（２”）では、移動ノード（ＭＮ１”（１４”）〜ＭＮ  Ｎ”（１６”））として示される複数の無線端末装置（ＷＴ１”（１４”）、ＷＴ  Ｎ”（１６”））が、それぞれ、通信信号（１３”、１５”）の利用を通じて基地局Ｍ（１２”）と通信を行う。個々の移動端末装置は別の移動局のユーザに対応することも可能であり、したがって時々ユーザ端末装置と呼ばれることもある。信号（１３、１５、１３’、１５’、１３”、１５”）は直交周波数分割多重（ＯＦＤＭ）信号などであってもよい。
【００４７】
基地局（１２、１２’、１２”）は、本発明に準拠する方法に従ってキャリア情報を伝えるビーコン信号を含む放送信号の送信を行う。移動ノード（１４、１６、１４’、１６’、１４”、１６”）は、新たなセルに入るスタートアップ時に、および／またはキャリア信号の紛失時に、本発明のキャリアサーチ方法を実行する。基地局（１２、１２’、１２”）、並びに、無線端末装置（ＭＮ１、ＭＮ  Ｎ、ＭＮ１’、ＭＮ  Ｎ’、ＭＮ１”、ＭＮ  Ｎ”）（１４、１６、１４’、１６’、１４”、１６”）は本発明の方法を個々に実行するものである。したがって、信号（１３、１５、１３’、１５’、１３”、１５”）には、本願で解説したタイプの信号が含まれることになり、これらのタイプの信号は本発明に準拠して送信される。
【００４８】
図７は、本発明に準拠して実現される例示の基地局アクセスノード２００を示す図である。基地局２００は、図６の例示のＢＳ１２、１２’、１２”のうちのいずれかの基地局であってもよい。基地局２００は図１または図２に例示のビーコン信号などのようなビーコン信号の送信を行う。異なるビーコンが異なる時刻に送信される。任意のセルで送信されるビーコン信号はセルおよび／またはセクタに依存する信号であってもよく、異なるセル／セクタと共に異なるビーコン信号の送信が行われる。基地局２００はデータおよび情報の交換を行うことも可能となる種々のエレメントにわたって、バス２１４を経由して一体に接続された受信機２０２、送信機２０４、プロセッサ２０８、入出力インタフェース２１０、メモリ２１２を備える。基地局２００は、受信機２０２と接続された受信用アンテナ２１６を備え、この受信用アンテナ２１６は、ＢＳ２００が複数の無線端末装置からアップリンク信号を受信する際に仲介用として使用される。基地局２００は、送信機２０４と接続された送信用アンテナ２１８も備え、この送信用アンテナ２１８は、ＢＳ２００が放送信号並びにユーザ専用信号を含むダウンリンク信号を複数のＷＴへ送信する際に経由するアンテナである。放送信号に含まれるものとして、以下のキャリアビーコン信号を含むビーコン信号、および、実施形態によっては、ダウンリンクキャリア情報をアップリンクキャリア情報と関連づける放送情報が挙げられる。受信機２０２が、受信したアップリンク信号を復号化するデコーダ２２０を備えているのに対して、送信機２０４は送信に先立ってダウンリンクデータ／情報を符号化するエンコーダ２２２を備えている。入出力インタフェース２１０は基地局２００をインターネットと、および／または、別の基地局、ＡＡＡサーバノード、ホームエージェントノード、ルータなどの別のネットワークノードと結合する。メモリ２１２にはルーチン２２４とデータ／情報２２６とが含まれる。ＣＰＵなどのプロセッサ２０８は、ルーチン２２４を実行し、メモリ２１２内のデータ／情報２２６を利用して、本発明に準拠して基地局２００を作動させる。
【００４９】
ルーチン２２４には通信用ルーチン２２８と基地局制御ルーチン２３０とが含まれる。通信用ルーチン２２８を利用して基地局２００の制御を行い、種々の通信および種々の通信プロトコルの実行が図られる。基地局制御ルーチン２３０を利用して基地局２００が制御され、本発明の方法ステップが実施される。基地局制御ルーチン２３０は、スケジュリング用モジュール２３２、ビーコンルーチン２３４、およびアップリンクキャリア識別子（ＩＤ）信号送信用モジュール２４０を備える。スケジュリング用モジュール２３２を利用して送信スケジュリングおよび／または通信リソース割当ての制御が行われる。したがって、モジュール２３２はスケジュラとして利用することも可能になる。ビーコンルーチン２３４は、基地局２００によるビーコン信号の決定、生成および送信を制御する。ビーコンルーチン２３４は、ビーコンの決定用および生成用モジュール２３６と、ビーコン送信用モジュール２３８とを備える。ビーコン決定用および生成用モジュール２３６は、タイミング情報２４８とビーコン構造情報２４２とを含むデータ／情報２２６を利用して、現在のビーコンスロット情報２４６を決定し、現在のビーコンスロット情報２４６に対応するビーコン信号の生成を行うように図るモジュールである。ビーコン送信用モジュール２３８は、現在のビーコンスロット情報２４６とタイミング情報２４８とを含むデータ／情報２２６を利用して、生成されたビーコン信号の送信を適時に制御するように図るモジュールである。アップリンクキャリアＩＤ信号送信用モジュール２４０は、アップリンクキャリア情報２７６を含むデータ／情報２２６を利用して、アップリンクキャリア周波数の決定を可能にする情報をＷＴへ伝えるダウンリンク放送信号の生成と送信とを制御するように図る。例えば、本発明に準拠して、キャリアサーチ方法などを通じてダウンリンクキャリア周波数をすでに確定したＷＴは、基地局２００によって利用されるアップリンクキャリアとダウンリンクキャリア間のオフセット値を出力する放送信号の受信を行うことが可能となる。
【００５０】
データ／情報２２６には、ビーコン構造情報２４２、キャリア情報２４４、現在のビーコンスロット情報２４６、タイミング情報２４８、および無線端末装置データ／情報２５０が含まれる。ビーコン構造情報２４２には、ビーコン信号の特性を定義する情報であって、ＷＴ２００が決定し、生成し、送信する情報が含まれる。ビーコン構造情報２４２には、種別情報２５２、トーン情報２５４、タイミング情報２５６、ホッピング情報２５８、シーケンス情報２６０、ナンバービーコンスロット／ウルトラスロット２６２、および電力情報２６４が含まれる。
【００５１】
種別情報２５２には、キャリアビーコン、スロープビーコン、セクタビーコンなどのＢＳ２００によって送信される種々のタイプのビーコンを定義する情報が含まれる。種別情報２５２は、特定のビーコンが、情報を伝えるために同じトーンまたは１組のトーンを利用するかどうかに関するビーコン類別情報、あるいは、特定のビーコンが、ホッピングシーケンスが後続するトーンなどの異なるトーンまたは１組のトーンを異なる時刻に利用するかどうかに関するビーコン類別情報を含むようにすることも可能である。例えば、実施形態によっては、キャリアビーコンが同じ固定トーンを利用するのに対して、スロープビーコンとセクタビーコンとがホッピングシーケンスに従って異なるトーンを異なる時刻に利用するものもある。
【００５２】
トーン情報２５４には、ＢＳ２００から送信されるビーコンが利用するトーンまたは１組のトーンを特定する情報が含まれる。トーン情報はまた、ビーコン信号を伝えることも可能なダウンリンクサービス帯域内のある範囲内のトーンを特定する情報を含むものであってもよく、例えば、ビーコン信号送信に利用されるトーンの範囲の帯域幅は、実施形態によってはサービス帯域の帯域幅よりも狭いものであってもよい。
【００５３】
タイミング情報２５６にはビーコン信号を送信すべき時点が定義される。例えば、実施形態によっては、１つのビーコン信号がビーコンスロットの所定の固定されたＯＦＤＭシンボル送信時間間隔中の個々のビーコンスロット中に送信されるものもある。ホッピングシーケンスを導き出すために利用可能なホッピング用の数式や数値などのホッピング情報２５８がトーンまたは１組のトーンを決定するために、ウルトラスロット内の特定のビーコンスロット中にホップされるビーコンによって利用される。シーケンス情報２６０はウルトラスロット中に送信される一連のビーコンを含む。例えば、１つの実施形態では、ウルトラスロット内の第１のビーコンはキャリアビーコンであり、残りのビーコンはスロープビーコンおよびセクタビーコンであり、この残りのビーコンはスロープビーコンとセクタビーコンとの間で連続ビーコンスロットで交番する。ウルトラスロット２６２当たりのビーコンスロット数には、ウルトラスロット内の連続ビーコンスロットの数を特定する情報が含まれ、連続するウルトラスロット内の個々のビーコンスロットは同じビーコン信号を有する。電力情報２６４には個々のビーコン信号の送信電力レベルを特定する情報が含まれる。実施形態によっては、通常のダウンリンクデータと制御信号送信とに利用される所定の電力レベルよりもずっと高い電力レベルで個々のビーコン信号が送信されるものもある。
【００５４】
キャリア情報２４４には、ダウンリンクキャリア情報２７４とアップリンクキャリア情報２７６とが含まれる。キャリア情報２４４は所在位置に依存する。例えば、サービスプロバイダの基地局２００は異なる所在位置用の異なるサービス帯域を有するものであってもよい。ダウンリンクキャリア情報２７４にはキャリア周波数情報２７８とサービス帯域情報２８０とが含まれる。ダウンリンクキャリア周波数情報２７８には、ＷＴがサーチしている目新しい帯域内でのダウンリンク信号送信などの、ダウンリンクキャリア用ＢＳ２００が利用するキャリアが含まれる。サービス帯域情報２８０には、ＢＳ２００によってダウンリンク信号送信用として利用される周波数範囲が含まれる。実施形態によっては、サービス帯域がダウンリンクキャリア周波数の周辺の中心部に配置されるものもある。サービス帯域情報２８０にはサービス帯域の帯域幅も含まれる。実施形態によっては、サービス帯域の帯域幅がシステムを通じてずっと固定されたままのものもあるが、キャリア周波数は所在位置毎に変動する。アップリンクキャリア情報２７６にはキャリア周波数情報２８２とサービス帯域情報２８４とが含まれる。アップリンクキャリア周波数情報２８２には、目新しい帯域内などでアップリンク信号送信を行うために、アップリンクキャリア用としてＢＳ２００が利用するキャリアが含まれる。サービス帯域情報２８４にはＢＳ２００によってアップリンク信号送信に利用される周波数範囲が含まれる。実施形態によっては、サービス帯域がアップリンクキャリア周波数の周辺の中心部に配置されるものもある。サービス帯域情報２８４にはサービス帯域の帯域幅も含まれる。実施形態によっては、サービス帯域の帯域幅がシステムを通じてずっと固定されたままのものもあるが、キャリア周波数は所在位置毎に変動する。実施形態によっては、アップリンクキャリアからダウンリンクキャリアへの空間の間隔が固定されたオフセット値であり、システムを通じてずっと固定されたままのものもある。実施形態によっては、アップリンクキャリアからダウンリンクキャリアへの空間の間隔が所在位置毎に変動するものもある。このような実施形態では、アップリンクキャリアＩＤ信号送信用モジュール２４０はインタキャリア間隔および／または別のアップリンクキャリア情報に対応して、ＷＴへ情報を伝える処理を実行する。
【００５５】
現在のビーコンスロット情報２４６はスロットインデックス２６６とトーン情報２６８とを含む。スロットインデックス２６６は、ビーコン信号に対応するウルトラスロット内のビーコンスロットインデックスである。トーン情報２６８には、当該単複のトーンに集中する現在のビーコン信号レベルと、関連づけられた電力レベルとを含むトーンまたは１組のトーンとが含まれる。
【００５６】
タイミング情報２４８には、時間が進むにつれて、ＯＦＤＭシンボル送信時間間隔の連続トラッキングなどのＯＦＤＭシンボル送信のタイミングがビーコンスロットとウルトラスロットとの範囲内に含まれる。
【００５７】
ＷＴデータ／情報２５０には複数のセットのＷＴデータ情報（ＷＴ１データ／情報２７０、ＷＴ  Ｎデータ／情報２７２）が含まれる。ＷＴ１データ／情報２７０には、アクティブセッション、ユーザ、ＷＴ１との通信セッション時のピアノード、ルート選定情報、ユーザデータ／情報、ＢＳ２００割当て識別子、アップリンクおよびダウンリンクの割当てトラフィックチャネルセグメント並びに専用の制御セグメントなどのリソース情報のようなＷＴ１に対応する１組のデータ／情報が含まれる。
【００５８】
図４に図示のアクセスル−タなどの基地局−アクセスノード２００の例示回路と同じ、または、基地局−アクセスノード２００の例示回路の場合と同様のものであるが、特定のサーバ／ホスト装置要件に適したインタフェースおよび／または制御ルーチンを有する装置回路を実装することが可能である。このようなサーバおよび／またはホスト内の制御ルーチンおよび／またはハードウェアによって、本発明の方法が実現される。
【００５９】
図８は、本発明のキャリアサーチ方法を実行する能力を有する、本発明に準拠して実装された移動ノードなどの例示の無線端末装置（エンドノード）３００を例示する図である。例示のＷＴ３００は図６のＷＴ（１４、１６、１４’、１６’、１４”、１６”）のうちのいずれであってもよい。移動ノード３００は移動端末装置（ＭＴ）として利用することも可能である。無線端末装置３００には受信機３０２、送信機３０４、プロセッサ３０６、ユーザＩ／Ｏ装置３０８、および、種々のエレメントがデータおよび情報の交換を行うことも可能なバス３１２を経由して一体に接続されたメモリ３１０が含まれる。メモリ３１０はルーチン３２２とデータ／情報３２４とを含む。受信機３０２は、ＷＴ３００が、キャリア情報を伝えるビーコン信号、および、実施形態によっては、アップリンクキャリアとリンクする情報を伝えるダウンリンクキャリアのＢＳからの放送信号を含む、ダウンリンク信号をＢＳから受信する際に経由する受信アンテナ３１６と接続される。受信機３０２には、受信した符号化済みダウンリンク信号を復号化するデコーダ３１４が含まれる。送信機３０４は、アップリンクトラフィックチャネル信号を含むアップリンク信号がＷＴ３００からＢＳへ伝えられる際に経由する送信機用アンテナ３２０と接続される。
【００６０】
送信機３０４には、基地局への送信に先立って、データ／情報を符号化して、符号化済みアップリンク信号に変えるエンコーダ３１８が含まれる。実施形態によっては、デコーダ３１４とエンコーダ３１８とが低密度パリティチェック（ＬＤＰＣ）コードを利用するものもある。ＣＰＵなどのプロセッサ３０６は、ルーチン３２２を実行し、メモリ３１０内のデータ／情報３２４を利用して、ＷＴ３００の作動を制御し、キャリアサーチを含む本発明の方法を実行する。キーボード、キーパッド、マウス、マイク、カメラ、ディスプレイ、スピーカ、などのユーザＩ／Ｏ装置３０８は、ピアノード用として意図されたＷＴ３００のユーザによるユーザデータ／情報の入力およびピアノードから受信したユーザデータ／情報の出力を可能にする。
【００６１】
ルーチン３２２には、通信用ルーチン３２６および無線端末制御ルーチン３２８が含まれる。無線端末制御ルーチン３２８には、キャリアサーチルーチン３３０、ダウンリンクキャリア設定用モジュール３３２、アップリンクキャリア判定用モジュール３３４、およびアップリンクキャリア設定用モジュール３３６が含まれる。
【００６２】
通信用ルーチン３２６は、ＷＴ３００によって利用される種々の通信プロトコルを実行する。ＷＴ制御ルーチン３２８は、ＷＴ受信機３０２、送信機３０４、ユーザＩ／Ｏ装置３０８の作動を制御し、本発明の方法を実行する。キャリアサーチルーチン３３０は、本発明に準拠するキャリアサーチ方法をＷＴ３００に実行させる。キャリアサーチルーチン３３０にはサーチ初期化用モジュール３３８、ビーコンモニタ用および検出用モジュール３４０、タイミング用モジュール３４２、帯域モニタ調整用モジュール３４４、およびキャリア検出用モジュール３４６が含まれる。
【００６３】
サーチ初期化用モジュール３３８は、サーチ開始情報３６８を含むデータ／情報３２４を利用し、実施形態によっては、格納済みキャリア情報３５２を利用して、サーチ開始時にモニタすべき第１の周波数帯域の選択を行うものもある。サーチすべきこの間隔に関係する情報は、モジュール３３８によって現在のサーチ帯域情報３５６の中に格納される。例えば、実施形態によっては、あるいは、或るセットの条件下においては、サーチ初期化用モジュール３３８が、ダウンリンク帯域の極端に最小の帯域でサーチを開始して、サーチ開始情報３６８の中で特定されるようにサーチするものもある。別の実施形態では、あるいは、ある別のセットの条件の下では、サーチ初期化３３８は格納済みキャリア情報３５２の中で特定された帯域で、例えば、以前に利用した最後のダウンリンクサービス帯域のような前に利用した１組のダウンリンクサービス帯域から得られる１つの帯域などでサーチを開始する。サーチ初期化用モジュール３３８は、ＷＴの受信機３０２を選択した現在のサーチ帯域に同調させる。
【００６４】
ビーコンモニタ用および検出用モジュール３４０は、システム情報３５０と現在のサーチ帯域情報３５６とを含むデータ／情報３２４を利用して、現在のサーチ帯域内でのダウンリンク信号送信のモニタを実行し、ビーコン信号の検出と特定とを図る。例えば、１または数個のトーンに集中する大電力の特性によって受信ビーコン信号を認識するようにすることも可能である。ビーコンモニタ用および検出用モジュール３４０がビーコン信号の検出を行うとき、検出済みビーコン信号に対応するトーン情報およびタイミング情報などの情報は検出済みビーコン情報３５８の中に格納される。実施形態によっては、モジュール３４０による検出済みビーコン信号が、モニタ間隔の割込みおよび／または終了を行い、サービス帯域調整およびさまざまなタイプのモニタ間隔の開始などのさらなる処理のトリガを行うものもある。別の実施形態では、モニタ間隔をモニタするビーコン間隔に対する割込みを行ったり、１以上のビーコン信号の検出によって早期に終了させたりするものもある。タイミング用モジュール３４２は、データ／情報３２４を利用して、モニタ間隔の開始ステップと、第１のタイプまたは第２のタイプのモニタ間隔で終了した時間の追跡ステップ、あるいは、時間切れになったかどうかのチェックステップ、並びに、モニタ間隔が時間切れになったときの追加処理のトリガステップを含むタイミング処理の制御を行うモジュールである。タイミング用モジュール３４２はタイミング情報３５４の中に情報を格納する。帯域モニタ調整用モジュール３４４は、サーチステップサイズ情報３６８と、サーチ帯域変更用の現在のサーチ帯域情報３５６を調整するサーチ調整情報３７６とを含むデータ／情報３２４を利用する。例えば、ビーコンモニタ用および検出用モジュール３４０によるビーコン信号の検出を行うことなく、タイミング用モジュール３４２によって示されるように最初の第１タイミング間隔が時間切れになっていれば、帯域モニタ調整用モジュール３４４は１サーチステップサイズ分だけ現在のサーチ帯域の増分を行い、受信機３０２を制御して新たなサーチ帯域に再同調を行うようにすることも可能であり、さらに、帯域モニタ調整用モジュール３４４はタイミング用モジュールに信号送信を行って、２番目の第１モニタ用時間間隔をスタートすることができる。別の例として、ビーコンモニタ用および検出用モジュール３４０が第１のモニタ間隔の範囲内でビーコン信号を検出した場合について考えると、帯域モニタ調整用モジュール３４４は、サーチ調整情報３７６に従ってサーチ帯域を変える、例えばサーチ帯域を狭くすることも可能であり、それによって検出済みビーコン信号が新たなサーチ帯域の最上部に配置されるようになる。調整用モジュール３４４は、現在のサーチ帯域情報３５６の中に上記新たなサーチ帯域情報を格納し、受信機３０２を制御して、新たなサーチ帯域に対する再同調を行い、タイミング用モジュール３４２への信号送信を行って第２のモニタ用時間間隔を開始する。
【００６５】
キャリア検出用モジュール３４６は、検出済みビーコン情報３５８と、システム情報３５０とを含むデータ／情報３２４を利用して、検出済みキャリア信号情報３６０と、決定済みダウンリンクキャリア周波数情報３６２とを取得する。例えば、第２のモニタ間隔中の検出済みビーコン情報３５８は、２つのビーコン信号が同じ固定トーンで受信され、独立したウルトラスロットの時間間隔によって分離されることを示す情報を含むことも可能であり、上記２つのビーコン信号は、ビーコン構造情報３８２によってキャリアビーコンが検出されたこと、並びに、キャリア検出用モジュールが検出済みキャリア信号情報３６０を取得することを示す信号である。次いで、ＤＬキャリア／サービス帯域情報３７８を利用して、キャリア検出用モジュール３４６によりダウンリンクキャリア情報３６２が決定されるが、上記ＤＬキャリア／サービス帯域情報３７８として、たとえば、キャリア周波数、並びに、キャリアビーコントーンと、キャリア周波数および／またはサービス帯域境界に関連するキャリアビーコントーン位置との間の固定オフセット値などのキャリアビーコントーンと関連するサービス帯域を示す情報などがある。
【００６６】
ダウンリンクキャリア設定用モジュール３３２は、決定済みダウンリンクキャリア情報３６２を含むデータ／情報３２４を利用して、キャリア周波数とサービス帯域とに対して受信機３０２の設定、例えば同調などを行う。
【００６７】
アップリンクキャリア決定用モジュール３３４は、アップリンク信号送信用としてＷＴ３００の利用対象のキャリアおよびサービス帯域を決定する。実施形態によっては、システムを通じてずっとダウンリンクキャリアと、対応するアップリンクキャリアとの間に固定した関係が存在するものもある。このような実施形態では、ダウンリンクキャリアを決定した後、アップリンクキャリア決定用モジュール３３４は、格納済みの固定オフセット値などの、決定済みダウンリンクキャリア情報３６２と、Ｄ．Ｌ．キャリア／アップリンクキャリア情報３８０とを含むデータ／情報３２４を利用して、ＵＬキャリア情報３６４の決定を図る。実施形態によっては、図３に図示のように、システムにおける異なる基地局の所在位置に関連して、ダウンリンクキャリアと、対応するアップリンクキャリアとの間の間隔が変動するものもある。このような１つの実施形態では、ＷＴ３００が所定のＤＬキャリアに対してＷＴ３００の受信機を同調させた後、ＷＴ３００は、モジュール３３４を用いて、所定のＵＬキャリア情報３６４を導き出すのに利用できる情報を示すＢＳからの放送信号の受信と、処理とを行う。例えば、放送信号はＵＬキャリア周波数を示すことも可能であるし、あるいは、放送信号はダウンリンクキャリア周波数から得られるアップリンクキャリア周波数のオフセット値を示すことも可能である。
【００６８】
アップリンクキャリア設定用モジュール３３６は所定のＵＬキャリア情報３６４を含むデータ／情報３２４を利用して、送信機３０４などの同調設定を行って、ＷＴが適正なサービス帯域においてアップリンク信号を基地局へ送信できるようにする。
【００６９】
データ／情報３２４には、ユーザデータ３４８、システム情報３５０、格納済みキャリア情報３５２、タイミング情報３５４、現在のサーチ帯域情報３５６、検出済みビーコン情報３５８、検出済みキャリア信号情報３６０、決定済みダウンリンクキャリア情報３６２、所定のアップリンクキャリア情報３６４、並びに、ユーザ／装置／セッション／リソース情報３９２が含まれる。
【００７０】
ユーザデータには、音声、テキスト、ユーザ用アプリケーション、および／または、ビデオデータ／情報などのデータと情報とが含まれ、これらのデータと情報とは、ＷＴ３００との通信時にＷＴ３００のピアへ通信されたり、ＷＴ３００のピアから受信されたりする。
【００７１】
システム情報３５０には、サーチ帯域範囲情報３６６、サーチ開始情報３６８、第１のモニタ間隔情報３７０、第２のモニタ間隔情報３７２、サーチステップサイズ情報３７４、サーチ調整情報３７６、ダウンリンクキャリア／サービス帯域情報３７８、ダウンリンクキャリア／アップリンクキャリア情報３８０、並びに、ビーコン情報３８１が含まれる。サーチ帯域範囲情報３６６には、目新しい帯域内のダウンリンク帯域などでサーチ対象のダウンリンク帯域を特定する情報が含まれる。サーチ帯域範囲情報３６６には、最小限の周波数および／または最小限のサーチ設定用周波数を含む範囲に対する限定も含まれる。サーチ開始情報３６８には、サーチ対象のダウンリンク帯域内の最低の位置におけるサーチ帯域などの利用対象の開始用サーチ帯域を特定する情報、および／または格納済みキャリア情報３５２の中に保存されている決定に成功した最後のサービス帯域などを用いる利用対象のサーチ開始技術を特定する情報が含まれる。第１のモニタ間隔情報３７０には、第１のモニタ用時間間隔の継続時間を特定する情報が含まれ、この場合、もし何らかのビーコンが第１のモニタ用時間間隔中に検出されれば、処理は第２のモニタ用時間間隔へ進むことになる。第１のモニタ用時間間隔３７０には、第１のモニタ間隔がビーコン信号の検出時に終了したかどうか、あるいは、第２のモニタ用時間間隔へ進む前に第１のモニタ間隔が終了したかどうかに関して特定を行う情報も含まれる。実施形態によっては、第１のモニタ用時間間隔が１乃至２個のビーコンスロット間隔か、それよりもわずかに広い範囲の中にセットされるものもある。例えば、１つの実施形態例では、９０ミリ秒のビーコンスロットの場合、第１のモニタ間隔は１８０ミリ秒にセットされる。第２のモニタ間隔情報３７２には、第２のモニタ用時間間隔の継続時間を特定する情報が含まれ、この場合、キャリアビーコンを特定するためにサーチ帯域がサーチされる。第２のモニタ用時間間隔３７２には、第２のモニタ間隔がキャリアビーコン信号の決定時に終了するかどうかに関して、あるいは、所定のキャリア情報の利用へ進む前に第２のモニタ間隔が終了するかどうかに関して特定を行う情報も含まれる。実施形態によっては、第２のモニタ用時間間隔が１乃至２個のウルトラスロットまたはこのウルトラスロットよりもわずかに広い範囲にセットされるものもある。例えば、ウルトラスロットが１.４４秒である１つの実施形態例では、第２のモニタ間隔は１.５秒にセットされる。サーチステップサイズ間隔３７４には、ビーコン信号の検出を行うことなく第１のタイプのモニタ間隔の終了に後続する、より高い周波数へのシフトなどの、現在のサーチ帯域に対する変動量を特定する情報が含まれる。サーチ調整情報３７６には、第１のモニタ間隔中のビーコン信号の検出に後続する、現在のサーチ帯域のシフトなどの調整量の制御に利用する情報が含まれる。例えば、実施形態によっては、キャリアビーコンが、他のいずれのビーコン信号よりも低いトーンであるサービス帯域内の固定周波数位置に在り、ビーコントーンが、サービス帯域の或る定義されたサブセット範囲を占有するものもある。このような実施形態では、サーチ調整情報３７６���、第２のモニタ間隔中にキャリアビーコンの検出の保証を図り、検出済みビーコンに関してサーチ帯域の位置決めをどこにするかの決定に利用する情報を含むようにして、例えば、キャリア帯域を移動させて、検出済みビーコン信号がサーチ帯域の最上部になるようにすることも可能である。ダウンリンクキャリア／サービス帯域情報３７８には、例えば、ダウンリンクサービス帯域がダウンリンクキャリア周辺の中心部に配置され、指定された帯域幅を占有するなどの、ダウンリンクサービス帯域と、ダウンリンクキャリアとの間の関係を特定する情報が含まれる。情報３７８には、例えば、キャリアビーコントーンがキャリア周波数からオフセットされる、高低のトーンの数および方向などの、キャリアビーコンとキャリア周波数との間の関係を特定する情報も含まれる。ダウンリンクキャリア／アップリンクキャリア情報３８０には、検出済みのダウンリンクキャリアに基づいて基地局のアップリンクキャリア周波数の決定に利用する情報が含まれる。例えば、実施形態によっては、アップリンクキャリアがダウンリンクキャリアから得られる固定オフセット値であって、アップリンク／ダウンリンクキャリア間隔を示すこの固定値が情報３８０に格納されているものもある。実施形態によっては、アップリンクキャリア／ダウンリンクキャリア間隔が所在位置毎に変動して、個々のＢＳが、ＷＴ３００による利用も可能な情報と共に放送メッセージの送信を行い、前記メッセージからアップリンクキャリアを導き出すようにするものもある。このような１つの実施形態では、情報３８０中には、前記放送メッセージおよび／または所定のダウンリンクキャリアからアップリンクキャリアを導き出すのに利用する放送メッセージおよびパラメータを特定する情報が含まれる。
【００７２】
ビーコン情報３８１はビーコン構造情報３８２を含む。ビーコン構造情報３８２には、ビーコンタイプ情報、トーン情報、タイミング情報、ホッピング情報、シーケンス情報、ビーコンスロット／ウルトラスロットの数および電力情報が含まれる。例示のビーコン構造情報３８２は、例示のＢＳ２００に関して前述したビーコン構造情報２４２の場合と同様の構造情報である。
【００７３】
格納済みキャリア情報３５２には、キャリア帯域と、サービス帯域とに関する情報が含まれ、これらの帯域はキャリアサーチ処理によって以前に発見されたものであり、通信用としてＷＴ３００が以前利用したものであってもよい。実施形態によっては、格納済みキャリア情報３５２は、時間タグおよび／または格納済みキャリア情報セットの各セットに関する情報の使用頻度を含むものもある。このような実施形態では、ＷＴ３００は、最後に使用されたキャリアで、または、最も頻繁に使用されたキャリアでキャリアサーチを開始することも可能である。
【００７４】
タイミング情報３５４には、時間が進むにつれて、ビーコンスロットとウルトラスロット内のＯＦＤＭシンボル送信時間間隔の連続トラッキングなどのＯＦＤＭシンボル送信タイミングが含まれる。タイミング情報３５４には、第１のモニタ間隔の中に残っている時間や、第２のモニタ間隔の中に残っている時間などの情報トラッキングタイミングも含まれる。
【００７５】
現在のサーチ帯域情報３５６には、周波数および帯域幅などの現在のサーチ帯域の設定を特定する情報が含まれる。現在のサーチ帯域情報３５６には、現在のサーチ帯域がサーチを開始した時点を特定する情報も含まれる。
【００７６】
検出済みビーコン情報３５８には、第１のモニタ間隔中に、並びに第２のモニタ間隔中に検出されたビーコンに関係する情報が含まれ、この情報には、個々の検出済みビーコンが利用する単複のトーンと、ウルトラスロット内のビーコンのタイミングと、ビーコンタイプなどが含まれる。例えば、第１のモニタ間隔中に第１のビーコンを検出することも可能であり、第２のモニタ間隔中に少なくとも第２のビーコンを検出することも可能である。検出済みのキャリア信号情報３６０には第１の検出済みビーコン信号の周波数と、第２の検出済みビーコン信号の周波数とから決定されたキャリア信号周波数が含まれる。
【００７７】
決定済みダウンリンクキャリア周波数情報３６２には、情報３６０から得られるキャリアなどのキャリア周波数情報３８４、ダウンリンクサービス帯域の帯域幅などの上記キャリアの対応するサービス帯域情報３８６、サービス帯域内でのダウンリンクキャリアの位置を特定する情報（中心部に配置されているなど）が含まれる。
【００７８】
所定のアップリンクキャリア情報３６４には、例えばアップリンクキャリア決定用モジュール３３４から得られるようなキャリア周波数情報３８８と、アップリンクサービス帯域の帯域幅などのキャリアの対応するサービス帯域情報３９０と、サービス帯域内でのアップリンクキャリアの位置（中心部に配置されているなど）を特定する情報とが含まれる。
【００７９】
ユーザ／装置識別情報、ピアノードの特定を含むセッション情報とルート選定情報、割当て済みアップリンクとダウンリンクのトラフィックチャネルセグメント並びにＷＴ３００用制御チャネルセグメントのようなリソース情報などのユーザ／装置／セッション／リソース情報３９２にアクセスし、これを利用して本発明の方法の実現を図ることおよび／またはデータ構造を利用して本発明の実現を図ることも可能となる。
【００８０】
図９は、本発明に準拠してビーコン信号を送信し、ＢＳ２００などの基地局を作動させる例示による方法のフローチャート９００である。ステップ９０２から処理がスタートし、基地局の電源がオンになり、初期化が行われる。初期化の一部として、ビーコンスロットインデックスを、ウルトラスロットにおける最も低いインデックスのビーコンスロットである１にセットすることも可能である。処理はステップ９０２からステップ９０４へ進む。ステップ９０４で、基地局が作動して、ウルトラスロット内のビーコンスロットインデックスが取得される。個々のビーコンスロットは、隣接するビーコンスロットに関してオーバーラップしないタイムスロットである。個々のウルトラスロットには一定数のビーコンスロットが含まれている。処理はステップ９０４からステップ９０６へ進み、基地局は、ビーコンスロットインデックスに基づいて次のビーコン信号用のビーコンタイプとトーン指定とを決定する。個々のビーコンは複数の異なるタイプのビーコンのうちの１つのビーコンであり、これら異なるタイプの個々のビーコンは、同じ周波数帯域の範囲内の別のトーンまたは１組のトーンで送信される。実施形態によっては、ビーコン信号が周波数帯域内の第１のタイプの最小トーンに関して、固定周波数位置を有するものもある。実施形態によっては、第１のタイプのビーコンがサービス帯域内で基地局によって送信されるその他のすべてのタイプのビーコンよりも低いか高い固定周波数位置を有するものもある。実施形態によっては、第１のタイプのビーコン信号がキャリアビーコンと呼ばれるものもある。実施形態によっては、別のタイプのビーコンがスロープおよび／またはセクタビーコンを含むものもある。実施形態によっては、スロープビーコンおよび／またはセクタビーコンが、時間の経過に伴ってホップする周波数トーンを利用するものもある。実施形態によっては、キャリアビーコンなどの第１のタイプのビーコン信号の方が、ウルトラスロット当たり１つのキャリアビーコン信号およびウルトラスロット当たり複数のスロープ／セクタタイプのビーコン信号などの別のタイプのビーコン信号よりも発生頻度が低いものもある。
【００８１】
次に、ステップ９０８で、基地局を作動させて、所定の情報に従ってステップ９０６から前記ビーコン信号の生成を行う。次いで、ステップ９１０で、基地局を作動させて、ビーコン信号送信用として指定されたＯＦＤＭシンボル送信時間間隔中などの前記ビーコンスロット中に、前記生成されたビーコン信号の送信を行う。処理はステップ９１０からステップ９１２へ進む。ステップ９１２で、基地局を作動させて、ビーコンスロットインデックスがウルトラスロット内の最大ビーコンスロットインデックスに等しいかどうかのチェックを行う。ビーコンスロットインデックスがウルトラスロット内の最大ビーコンスロットインデックスに等しければ、ウルトラスロット用のビーコン信号送信は終了したことになり、処理はステップ９１４へ進む。完全なウルトラスロットの範囲内で、基地局は異なるタイプの個々のビーコンを少なくとも１回送信したことになる。ステップ９１４で、基地局を作動させて、ビーコンスロットインデックスを１に等しくなるようにセットして、新たなウルトラスロットの第１のビーコンスロットを表す。しかし、ステップ９１２で、ビーコンスロットインデックスがウルトラスロット内の最大ビーコンスロットインデックスに等しくないと判定された場合、処理はステップ９１６へ進む。ステップ９１６で、基地局が作動されて、ビーコンスロットインデックスの増分が行われる。処理はステップ９１４またはステップ９１６のいずれかからステップ９０４へ戻る。
【００８２】
図１０Ａと図１０Ｂとの組み合わせから成る図１０は、ＷＴ３００などの無線端末装置を作動させて、本発明に準拠して周期的ベースでビーコン信号を送信するＢＳ２００などの基地局によって送信されるキャリア信号の検出を行う例示による方法を示すフローチャート１０００である。無線端末装置の電源がオンにされ、および／または、サーチ方法をスタートするために初期化が行われると、ステップ１００２で上記例示による方法はスタートする。処理はステップ１００２からステップ１００４へ進む。
【００８３】
ステップ１００４で、ＷＴを作動させて、モニタ対象周波数帯域とするために第１の周波数帯域を選択する。例えば、無線端末装置の電源がオンにされたばかりの場合、ＷＴは、ＷＴが最後に使用した周波数帯域を選択対象の第１の周波数帯域として、前回のＷＴ処理に基づいて起こりそうに思われる周波数帯域として、あるいは、サーチ対象の範囲内の最低周波数帯域のような所定の選択帯域として利用することも可能である。処理はステップ１００４からステップ１００６へ進む。
【００８４】
ステップ１００６で、ＷＴを作動させて、第１の時間間隔中にビーコン信号を検出するために第１の周波数帯域のモニタを開始する。例えば、ＷＴは、ステップ１００４の選択帯域で受信機を同調させ、上記選択したモニタ帯域の範囲内で信号送信の受信を開始し、任意の受信信号を評価して、ビーコン信号が受信されたかどうかの判定を行うが、この場合のビーコン信号とは、例えば、同時に送信された１以上の大電力狭帯域幅の信号を含む信号である。実施形態によっては、ビーコン信号は複数の異なるタイプのビーコン信号であってもよく、その場合、例えば、キャリアビーコン信号などの第１のタイプの信号は、対応する周波数サービス帯域内の最小トーンから得られる固定オフセット値を有するトーンで送信され、前記第１のタイプのビーコン信号は、前記周波数サービス帯域で送信される前記ビーコン信号のうちの最小トーンまたは最大トーンのうちのいずれかのトーンを利用して送信されることになる。実施形態によっては、ビーコン信号の検出を行う処理が、前記ビーコン信号の決定段階を伴うことなく、前記ビーコン信号のエネルギを検出するステップを含むことになるものもある。実施形態によっては、第１の時間間隔はビーコンスロットよりもわずかに広い間隔のものもあり、例えば、１乃至２個のビーコンスロットあるいはこれよりもわずかに広い間隔のものとなる。処理はステップ１００６からステップ１００８へ進む。
【００８５】
ステップ１００８で、ＷＴはビーコンが検出されたかどうかに関するチェックを行う。ビーコンが検出された場合、処理はステップ１００８からステップ１０１０へ進み、そうでない場合には処理はステップ１０１２へ進む。ステップ１０１０で、ＷＴは、前記モニタ対象周波数帯域の幅よりも少ない分量だけモニタ対象周波数帯域を変えることになる。実施形態によっては、或る条件下ではステップ１０１０の変動が０Ｈｚのものもある。実施形態によっては、モニタ対象周波数帯域が変えられ、モニタ対象周波数帯域の最上部から得られる予め選択されたオフセット値で検出済みビーコン信号の周波数を得るようにするものもある。実施形態によっては、ステップ１０１０の変動が、モニタ対象周波数帯域の継続するモニタステップによって、第１のタイプのビーコン信号の範囲内にキャリアビーコンなどのモニタ対象周波数帯域を検出できるようにする方が望ましいものもある。処理はステップ１０１０からステップ１０１４へ進む。
【００８６】
ステップ１０１４で、無線端末装置を作動させて、第３の時間枠中に第２のビーコン信号を検出するために現在のモニタ対象周波数帯域のモニタステップを開始する。例えば、第３の時間枠は、キャリア決定の際の根拠とすることができるビーコンタイプ信号などのうちの少なくとも１つの信号の第１のタイプのビーコン信号よりもわずかに広い間隔とすることも可能である。実施形態によっては、第３のタイプの間隔がウルトラスロットよりもわずかに広い間隔となるようにするものもある。処理はステップ１０１４からステップ１０１６へ進む。
【００８７】
ステップ１０１６で、ＷＴはビーコンが検出されたかどうかに関するチェックを行う。ビーコンが検出された場合、処理はステップ１０１６からステップ１０１８へ進む。ステップ１０１８で、検出済みビーコンがキャリアの決定に十分な情報を提供するかどうかに関するチェックが行われる。各種の実施形態では、ビーコンタイプの数、トーンがホップされるかどうかのようなビーコンタイプの特性、ウルトラスロット内での一続きのビーコン信号におけるビーコンタイプのパターンなどのような特定の要因に依存して、ビーコン信号送信時にキャリアの決定が可能となる前に異なる数のビーコンの検出を必要とする場合もある。例えば、キャリアタイプと、セル識別子タイプなどの２つのタイプのビーコン信号のみを含む実施形態であって、ビーコン信号に割り当てられたビーコントーンがホップされず、ビーコン信号が２つのタイプの間で交番する実施形態では、２つの連続するビーコン信号を受信した場合、キャリアビーコンの決定を行うのに十分である。別の例として、キャリア、セル（スロープ）識別子、セクタ識別子という３つの異なるタイプのビーコンを含む実施形態について考えると、キャリアビーコンが帯域内で固定トーンを利用するのに対して、セル（スロープ）とセクタタイプとは時間の経過に伴ってホップするトーンを利用する。基地局はビーコンスロット当たり１つのビーコン信号の送信を行う。これらのビーコンタイプの後に、ウルトラスロット内の、または、ウルトラスロットの一部分内の連続ビーコンスロットの中に、（ｉ）スロープタイプビーコン、（ｉｉ）セクタタイプビーコン、（ｉｉｉ）スロープタイプビーコン、（ｉｖ）セクタタイプビーコン、（ｖ）キャリアタイプビーコンからなる一続きのビーコンが後続する。このような実施形態では、キャリアが決定されるまでに５個までのビーコンを検出する必要がある場合もある。別の例として、キャリア、スロープ、セクタという３つの異なるタイプのビーコンを含む実施形態について考えると、キャリアビーコンが帯域において固定トーンを利用するのに対して、スロープビーコンおよびセクタビーコンは時間の経過に伴ってホップするトーンを利用する。残りのウルトラスロットの各ビーコンスロット中に、スロープビーコンかセクタビーコンかのいずれかのビーコンが後続するウルトラスロットの第１ビーコンスロット中、ビーコンの後に一続きの１つのキャリアビーコンが後続する。このような実施形態では、ウルトラスロットによって隔置された２つの連続するキャリアビーコンの検出を行ってキャリアビーコンを特定する必要がある場合もある。
【００８８】
検出済みビーコン信号がこれまでキャリアの決定に十分な情報を提供したと仮定して、処理はステップ１０１８からステップ１０２０へ進む。ステップ１０２０で、無線端末装置を作動させて、通信サービスを得るために無線端末装置が利用できるキャリア信号周波数を少なくとも第１と第２のビーコン信号の周波数から決定する。しかし、検出済みビーコン信号がこれまでキャリアの決定に十分な情報を提供していなければ、処理はステップ１０１８からステップ１０２２へ進むことになる。ステップ１０２２では、無線端末装置を作動させて、第３の時間枠が時間切れになったかどうかのチェックが行われる。無線端末装置が予期に反してキャリアの決定に十分なビーコンを検出することなく、第３の時間枠が時間切れになっていれば、これはＷＴが基地局の範囲外へ移動したかもしれないことを示している可能性がある。というのは、第１のビーコンが検出されたため、無線端末装置が新たな帯域の範囲内でサーチを行う方が望ましいからである。キャリアビーコンの検出を妨げる一時的な干渉が生じた可能性もある。第３の時間枠が時間切れになっていれば、処理はステップ１０２２から接続ノードＡ１０２４を経由してステップ１００４へ進み、サーチ処理が再開される。例えば、この時点でステップ１００４はまだサーチされていない次の帯域の選択を行うことができる。あるいはステップ１００４は現在の帯域のサーチを繰り返すことができる。
【００８９】
ステップ１０２２へ戻ると、第３の時間枠が時間切れになっていない場合、処理はステップ１０２６へ進み、そこで、ビーコン信号を検出するために無線端末装置は現在のモニタ対象帯域のモニタを継続する。処理はステップ１０２６からステップ１０１６へ進む。
【００９０】
ステップ１００８に同調して、ビーコン信号が検出されなかった場合、処理はステップ１０１２へ進み、そこで、ＷＴを作動させて、第１の時間枠が時間切れになったかどうかに関するチェックを行う。第１の時間枠が時間切れになっていなければ、処理はステップ１０１２からステップ１０２８へ進み、そこで、ＷＴを作動させて、第１の周波数帯域のモニタを継続して、第１の時間枠間隔中にビーコン信号の検出を行う。処理はステップ１０２８からステップ１００８へ進む。第１の時間枠が時間切れになっていれば、処理はステップ１０１２からステップ１０３０へ進む。ステップ１００３で、ＷＴを作動させて、モニタ対象周波数帯域を第２のモニタ対象周波数帯域へ変更する。上記第２のモニタ対象周波数帯域は上記第１のモニタ対象周波数帯域とは多くてもモニタ対象周波数帯域の幅の分量だけ異なるものとなる。次いで、ステップ１０３２で、ＷＴは、第２の時間枠間隔中にビーコン信号を検出するために第２の周波数帯域のモニタを開始する。実施形態によっては、第２の時間枠間隔が第１の時間枠間隔と同じ継続時間を有するものもある。処理はステップ１０３２からステップ１０３４へ進む。
【００９１】
ステップ１０３４で、無線端末装置を作動させて、ビーコンが検出されたかどうかのチェックを行う。ビーコンが検出されれば、処理はステップ１０１０へ進み、ビーコンが検出されなければ、処理はステップ１０３４からステップ１０３６へ進む。ステップ１０３６で、ＷＴは第２の時間枠が時間切れになったかどうかに関するチェックを行う。第２の時間枠が時間切れになっていなければ、処理はステップ１０３６からステップ１０３８へ進み、そこで、ＷＴは、第２の時間枠間隔中ビーコン信号を検出するために第２の周波数帯域のモニタを継続する。処理はステップ１０３８からステップ１０３４へ進む。
【００９２】
ステップ１０３６で、第２の時間枠が時間切れになったと判定された場合、第２の周波数帯域のサーチは失敗したことになり、処理は接続ノードＢ１０４０を経由してステップ１０４２へ進む。ステップ１０４２で、ＷＴはモニタ範囲の最後に達したかどうかに関するチェックを行う。モニタ範囲の端部に達していなければ、処理はステップ１０４２からステップ１０４４へ進み、モニタ範囲の端部に達していれば、処理はステップ１０４６へ進む。
【００９３】
ステップ１０４４で、ＷＴを作動させて、モニタ対象周波数帯域を別の周波数帯域に変更する。この別の周波数帯域は最後のモニタ対象周波数帯域とは多くてもモニタ対象周波数帯域の幅の分量だけ異なる帯域となる。ステップ１０４６で、ＷＴを作動させて、モニタ対象周波数帯域を別の周波数帯域に変更する。この別の周波数帯域はモニタ範囲の他端に在る帯域となる。処理はステップ１０４４かステップ１０４６のいずれかからステップ１０４８へ進み、そこで、ＷＴは、第４の時間枠中にビーコン信号を検出するために上記別の周波数帯域のモニタを開始する。実施形態によっては第４の時間枠が第１および／または第２の時間枠と同じ継続時間となるものもある。
【００９４】
処理はステップ１０４８からステップ１０５０へ進み、そこで、ビーコンが検出されたかどうかに関するチェックが行われる。ビーコンが検出されれば、処理はステップ１０５０から接続ノードＣ１０５２を経由してステップ１０１０へ進む。しかし、ビーコンが検出されなければ、処理はステップ１０５４へ進み、そこで、ＷＴは第４の時間枠が時間切れになったかどうかに関するチェックを行う。上記第４の時間枠が時間切れになっていなければ、処理はステップ１０５４からステップ１０５６へ進み、そこで、ＷＴは、第４の時間枠間隔中ビーコン信号を検出するために同じ周波数帯域のモニタを継続する。処理はステップ１０５６からステップ１０５０へ進む。
【００９５】
ステップ１０５４へ戻ると、第４の時間枠が時間切れになっていれば、処理は接続ノードＢ１０４０を経由してステップ１０４２へ進む。
【００９６】
図１１は、異なる地理上の領域に位置する少なくとも第１の基地局と、第２の基地局とを含む通信システムにおいて複数の基地局を作動させる例示による方法を示すフローチャート１１００である。第１の基地局が第１の周波数帯域を利用するのに対して、第２の基地局は第２の周波数帯域を利用する。第２の周波数帯域は第１の周波数帯域とは異なる周波数帯域である。処理はステップ１１０２からスタートし、そこで通信システムの基地局の電源がオンにされる。処理はステップ１１０２からステップ１１０４および１１０６へ進むが、オプションとして、実施形態によってはステップ１１０８および１１１０へ進むものもある。
【００９７】
ステップ１１０４で、前記第１の基地局に位置する第１の基地局送信機を作動させて、第１の時間枠中に複数のビーコン信号の送信を行う。前記複数のビーコン信号には第１のタイプのビーコン信号と、第２のタイプのビーコン信号とが含まれ、前記第１の時間枠には、オーバーラップしない一定数の第２の時間枠間隔が含まれる。ステップ１１０４にはサブステップ１１１２が含まれる。サブステップ１１１２で、第１の基地局送信機を作動させて、前記第１の周波数帯域内で少なくとも１つのビーコン信号を前記第２の時間枠の各時間内に送信する。異なるタイプのビーコン信号が、前記第１の周波数帯域内で異なるトーンで送信され、前記第１のタイプのビーコン信号と、前記第２のタイプのビーコン信号とは前記第１の時間枠中に少なくとも一回送信される。処理は、ステップ１１０４の終了からステップ１１０４の開始へ進み、次の連続する第１の時間枠などの別の第１の時間枠中に第１の基地局送信機ビーコン送信が繰り返されるようにする。
【００９８】
ステップ１１０６で、前記第２の基地局に位置する第２の基地局送信機を作動させて、第３の時間枠中に複数のビーコン信号の送信を行う。前記複数のビーコン信号は第１のタイプのビーコン信号と第２のタイプのビーコン信号とを含み、前記第３の時間枠には、オーバーラップしない一定数の第４の時間枠間隔が含まれる。ステップ１１０６にはサブステップ１１１４の処理が含まれる。サブステップ１１１４で、第２の基地局送信機を作動させて、前記第２の周波数帯域内の少なくとも１つのビーコン信号を前記第４の時間枠の各時間内に送信する。異なるタイプのビーコン信号は、前記第２の周波数帯域内の異なるトーンで送信され、前記第１のタイプのビーコン信号と、前記第２のタイプのビーコン信号とは前記第３の時間枠中に少なくとも一回送信される。処理は、ステップ１１０６の終了からステップ１１０６の開始へ進み、次の連続する第３の時間枠などの別の第３の時間枠中に第２の基地局送信機ビーコン送信が繰り返されるようにする。
【００９９】
例えば、ダウンリンクからアップリンクへのキャリア空間の間置が、異なる所在位置に在る異なる基地局用の通信システムの中で変動する種々の実施形態のような実施形態によっては、ステップ１１０８と１１１０とが実行されるものもある。ステップ１１０８で、第１の基地局送信機を作動させて、第１の基地局へ信号を送信する際に利用する、アップリンク周波数帯域の周波数位置を示す情報を前記第１の周波数帯域で周期的に送信する。ステップ１１１０で、第２の基地局送信機を作動させて、第２の基地局へ信号を送信する際に利用する、アップリンク周波数帯域の周波数位置を示す情報を前記第２の周波数帯域で周期的に送信する。
【０１００】
通信システムにおいて、ダウンリンクキャリアからアップリンクキャリアへの空間の間置が固定されている種々の実施形態のような実施形態によっては、ＷＴが、ＢＳビーコン信号送信からダウンリンク通信帯域を決定し、例えばステップ１１０４または１１０６など、次いで、ダウンリンクからアップリンクへの固定キャリア間隔を認知して、ＢＳによる追加の放送信号の通信を行う必要なく、アップリンクキャリア帯域を決定するものもある。このような実施形態ではステップ１１０８と１１１０とを省くことも可能である。
【０１０１】
実施形態によっては、第１の基地局送信機と、第２の基地局送信機とが前記第１の時間枠と前記第３の時間枠中に直交周波数分割多重化（ＯＦＤＭ）信号を複数のトーンで同時に送信するものもある。
【０１０２】
実施形態によっては、前記第１の時間枠と前記第３の時間枠とが複数の少なくとも１０，０００個のＯＦＤＭシンボル送信時間枠を個々に含むものもある。実施形態によっては、個々の第１の時間枠が前記第２の時間枠のうちの少なくとも１６個の時間枠を含むものもある。実施形態によっては、第１の時間枠と第３の時間枠とが同じ長さを持つものもある。実施形態によっては、第２と第４の時間枠とが同じ長さを持つものもある。種々の実施形態において、第１の時間枠と第３の時間枠とはウルトラスロットと呼ばれ、第２の時間枠と第４の時間枠とはビーコンスロットと呼ばれ、個々のビーコンスロットには複数のシンボル送信時間枠が含まれている。
【０１０３】
実施形態によっては、第１のタイプのビーコン信号が送信される周波数帯域内の最小トーンに対して固定された周波数関係を有しているトーンを利用して、前記第１のタイプのビーコン信号が送信されるものもある。第１のタイプのビーコン信号が送信される上記周波数帯域はダウンリンク周波数帯域である。種々の実施形態において、第１のタイプのビーコン信号の送信に用いるトーンは、前記第１のタイプのビーコン信号を送信する基地局へ情報を通信するのに用いる、アップリンク周波数帯域内のトーンに対して固定された周波数関係も有している。実施形態によっては、アップリンク周波数帯域とダウンリンク周波数帯域とからなる周波数帯域の一対の接合が外され、前記ダウンリンク周波数帯域でのトーン間の間隔よりもさらに大きな間隔分だけ相互に分離されるものもある。
【０１０４】
種々の実施形態において、第１のタイプのビーコン信号は、周波数帯域で送信されるすべての信号タイプの他のビーコンよりも低いか、高い、固定された周波数関係を有し、上記第１のタイプのビーコン信号は上記周波数帯域の中へ送信される。
【０１０５】
実施形態によっては、前記第２の時間枠の各時間枠で前記第１の周波数帯域の範囲内の少なくとも１つのビーコン信号を送信するステップが、前記第１の時間枠中に第１のタイプのビーコン信号を多くて１回送信し、さらに、前記第２のタイプのビーコン信号を前記第１の時間枠中に少なくとも２回送信するステップを含むものもある。実施形態によっては、前記第４の時間枠の各時間枠内で前記第２の周波数帯域の範囲内の少なくとも１つのビーコン信号を送信するステップが、前記第３の時間枠中に第１のタイプのビーコン信号を多くて１回送信し、さらに、前記第３の時間枠中に前記第２のタイプのビーコン信号を少なくとも２回送信するステップを含むものもある。
【０１０６】
種々の実施形態において、前記第２の時間枠の各時間枠で前記第１の周波数帯域内の少なくとも１つのビーコン信号を送信するステップには、第３のタイプのビーコンを前記第１の時間枠中に少なくとも１回送信するステップが含まれ、さらに、前記第４の時間枠の各時間枠で前記第２の周波数帯域内の少なくとも１つのビーコン信号を送信するステップには、前記第３の時間枠中に前記第３のタイプのビーコン信号を少なくとも１回送信するステップが含まれる。
【０１０７】
実施形態によっては、第１のタイプのビーコンが、キャリアビーコン信号を送信する基地局がダウンリンク通信用として利用する、キャリア周波数に関する情報の通信に用いるキャリアビーコン信号であるものもある。種々の実施形態において、第２のタイプのビーコン信号はセルタイプ識別子ビーコン信号であり、このビーコン信号は、時としてスロープビーコンと呼ばれることもあるが、第２のタイプのビーコン信号が送信される送信元のセルを特定する情報を通信する信号である。そして、第３のタイプのビーコン信号は、含まれている場合には、セクタタイプの識別子ビーコン信号であり、基地局セクタに関する情報を提供する信号である。第３のタイプのビーコン信号を送信した基地局送信機はこの基地局セクタの中へ送信を行う。
【０１０８】
例えば、第１の基地局送信機と、第２の基地局送信機とが異なる地理上の位置における異なるセルの中に在る種々の実施形態のような種々の実施形態では、第１の基地局送信機と第２の基地局送信機の相互の間でタイミングの同期は行われない。多くの実施形態では、第１の基地局送信機を作動させて、複数のシーケンシャルな第１の時間枠中の第１の時間枠中に複数のビーコン信号の送信が繰り返され、次いで、第２の基地局送信機を作動させて、複数のシーケンシャルな第３の時間枠中の第３の時間枠中に複数のビーコン信号の送信が繰り返され、前記第１の時間枠と前記第３の時間枠とは相互にオーバーラップする。
【０１０９】
本発明の技術は、ソフトウェア、ハードウェアおよび／またはソフトウェアとハードウェアとの組み合わせを利用して実行可能である。本発明は、例えば、本発明を実現する移動端末装置、基地局、通信システムのような移動ノードなどの装置を対象とするものである。本発明はまた、本発明に準拠して、移動ノード、基地局および／またはホストなどの通信システムの制御および／または作動を行う方法のような方法を対象とするものである。本発明は、本発明に準拠する１以上のステップを実行するために制御を行うマシーン用の機械可読命令を含むＲＯＭ、ＲＡＭ、ＣＤ、ハードディスク、などの機械可読媒体などを対象とするものである。
【０１１０】
種々の実施形態において、本明細書で説明したノードは、例えば、信号処理、メッセージ生成および／または送信ステップのうような本発明の１以上の方法に対応するステップを実行する１以上のモジュールを利用して実現される。したがって、実施形態によっては、モジュールを利用して本発明の種々の特徴を実現することになるものもある。ソフトウェア、ハードウェアあるいはソフトウェアとハードウェアとの組み合わせを利用してこのようなモジュールを実現することが可能である。例えば、ＲＡＭ、フロッピー（登録商標）ディスクなどの記憶装置のような機械可読媒体の中に含まれるソフトウェアなどの機械で実行可能な命令を利用して、上記説明した方法または方法ステップの多くを１以上のノードにおいて実行して、例えば、機械可読媒体内の上記説明した方法の全部または一部を実行する追加のハードウェアを用いて、あるいは、そのような追加のハードウェアを用いることなく、汎用コンピュータなどのマシーンの制御を行うことが可能である。したがって、特に、本発明は、上述の方法の１以上のステップをプロセッサおよび関連するハードウェアなどのマシーンに実行させるための機械で実行可能な命令を含む機械可読媒体を対象とするものである。
【０１１１】
ＯＦＤＭのシステムのコンテキストで説明を行ったが、本発明の方法および装置のうちの少なくともいくつかは、多数の非ＯＦＤＭおよび／または非セルラ方式システムを含む広範囲の通信システムに対しても適用可能である。
【０１１２】
本発明に関する上記記載を考慮するとき、当業者にとって本発明の上述の方法および装置に対する多数の追加の変更例は明らかとなる。このような変更例は本発明の範囲に属するものと考えられる。本発明の方法および装置は、ＣＤＭＡ、直交周波数分割多重（ＯＦＤＭ）および／またはアクセスノードと移動ノード間で無線通信リンクを提供するために利用できる種々の別のタイプの通信技術に関して利用可能であり、さらに、種々の実施形態においても利用可能である。実施形態によっては、ＯＦＤＭおよび／またはＣＤＭＡを利用する移動ノードと通信リンクを確立する基地局としてアクセスノードが実現されるものもある。種々の実施形態において、移動ノードは、ノート型コンピュータ、個人用情報機器（ＰＤＡ）、あるいは別の携帯用装置受信機／送信機回路並びに論理回路および／またはルーチンを含むものとして実現されて、本発明の方法が実行されることになる。
【図面の簡単な説明】
【０１１３】
【図１】本発明に準拠する、サービス帯域内で利用可能なビーコン信号送信例を示す図面である。
【図２】本発明に準拠する、ビーコン信号送信の別の実施形態例を例示する図面であり、図２の信号送信は時間周波数グリッドに示されている。
【図３】異なるエリア内の目新しい帯域内に各種サービス帯域を配備するキャリア配備状況例を示す。
【図４】本発明に準拠するキャリアサーチの例示的方法を示す図面である。
【図５】本発明に準拠するキャリア周波数を配置する例示的方法を示すフローチャートである。
【図６】本発明に準拠して実現される通信システムの例示図面である。
【図７】本発明に準拠して実現され、本発明の方法を利用する例示基地局の図面である。
【図８】本発明に準拠して実現され、本発明の方法を利用する移動ノードなどの無線端末装置（エンドノード）の図面例である。
【図９】本発明に準拠してビーコン信号を送信する基地局を作動させる例示的方法を示すフローチャートである。
【図１０Ａ】図１０Ｂとを組み合わせて、本発明に準拠する、無線端末装置（ＷＴ）を作動させて、周期的ベースでビーコン信号を送信する基地局によって送信されるキャリア信号の検出を行う例示的方法を示すフローチャートである。
【図１０Ｂ】図１０Ａとを組み合わせて、本発明に準拠する、無線端末装置（ＷＴ）を作動させて、周期的ベースでビーコン信号を送信する基地局によって送信されるキャリア信号の検出を行う例示的方法を示すフローチャートである。
【図１１】複数の異なる基地局によりビーコン信号送信が行われる本発明の例示の基地局信号送信方法ステップを例示する。
【符号の説明】
【０１１４】
１０  通信システム、１２，１２’，１２”，２００  基地局、１４，１４’，１４”，１６，１６’，１６”，３００  無線端末装置
【図１】
2007511933.tif 000003
【図２】
2007511933.tif 000004
【図３】
2007511933.tif 000005
【図４】
2007511933.tif 000006
【図５】
2007511933.tif 000007
【図６】
2007511933.tif 000008
【図７】
2007511933.tif 000009
【図８】
2007511933.tif 000010
【図９】
2007511933.tif 000011
【図１０Ａ】
2007511933.tif 000012
【図１０Ｂ】
2007511933.tif 000013
【図１１】
2007511933.tif 000014
【国際調査報告】
2007511933.tif 000015
2007511933.tif 000016
2007511933.tif 000017
2007511933.tif 000018